(57)【要約】【課題】加速度とは何か。地上の加速度は、地上の磁気の光子のエネルギー×物質が作る磁気の光子のエネルギー、です。クエーサーの時代、大きい軌道、中位の軌道、小さい軌道は、クエーサーの中心のブラックホールの質量がいくらの時できたか。【解決手段】加速度とは、物体が受ける磁気の光子のエネルギー×物質が作る磁気の光子のエネルギー、です。高いところから落下する場合、終端速度＝終端加速度×終端速度になるまでの時間、と表現できる。高い場に成る程、磁気の光子の密度は少なくなる。１０倍の高さになると、磁気の光子の密度は１／１０になり、物体の受ける磁気の光子の数は１／１０になり、磁気の光子のエネルギーは１／１０になる。宇宙の軌道エネルギー（軌道質量）の方程式によって求める。「熱粒子」の軌道とエネルギーを求める。【選択図】図４
2008228567.tif 000002
【特許請求の範囲】
【請求項１】
終端速度の加速度はいくらか。
終端速度の加速度とは、終端速度にいたるまでの加速度です。
地上の加速度は、地上の磁気の光子のエネルギー×１Ｋｇの物質が作る磁気の光子のエネルギー＝１．２×１０６Ｊ×８．１６６×１０−６Ｊ＝９．８ｍ／ｓ２、です。
それで、上空において、磁気の光子のエネルギーはどのようであるか。
磁気の光子１個のエネルギーは変わらない。磁気の光子のエネルギーも、電気のエネルギーと同じように、１０６Ｋｍ走って１／１０になる。
落下する高さはせいぜい１０Ｋｍであるから、１０Ｋｍの標高差では、磁気の光子１個のエネルギーは変わらない。
しかし、磁気の光子の密度は、１０倍の高さになると、磁気の光子の密度は１／１０になる。
標高１０ｍにおいて、磁気の光子のエネルギーは、１．２×１０６Ｊとみなす。
標高１００ｍにおいて、磁気の光子の密度は１／１０になるから、磁気の光子のエネルギーは、１．２×１０５Ｊ。
標高１０００ｍにおいて、磁気の光子の密度は１／１００になるから、磁気の光子のエネルギーは、１．２×１０４Ｊ。
標高１００００ｍにおいて、磁気の光子の密度は１／１０００になるから、磁気の光子のエネルギーは、１．２×１０３Ｊ。
よって、
標高１０ｍの加速度は、標高１０ｍの磁気の光子のエネルギー×１Ｋｇの物質が作る磁気の光子のエネルギー＝１．２×１０６Ｊ×８．１６６×１０−６Ｊ＝９．８ｍ／ｓ２、です。
標高１００ｍの加速度は、標高１００ｍの磁気の光子のエネルギー×１Ｋｇの物質が作る磁気の光子のエネルギー＝１．２×１０５Ｊ×８．１６６×１０−６Ｊ＝０．９８ｍ／ｓ２、です。
標高１０００ｍの加速度は、標高１０００ｍの磁気の光子のエネルギー×１Ｋｇの物質が作る磁気の光子のエネルギー＝１．２×１０４Ｊ×８．１６６×１０−６Ｊ＝０．０９８ｍ／ｓ２、です。
標高１００００ｍの加速度は、標高１００００ｍの磁気の光子のエネルギー×１Ｋｇの物質が作る磁気の光子のエネルギー＝１．２×１０３Ｊ×８．１６６×１０−６Ｊ＝０．００９８ｍ／ｓ２、です。
加速度の累計はいくらか。
Ｓｎ＝９．８ｍ／ｓ２＋０．９８ｍ／ｓ２＋０．０９８ｍ／ｓ２＋０．００９８ｍ／ｓ２＋
Ｓｎ＝９．８ｍ／ｓ２＋９．８×１０−１ｍ／ｓ２＋９．８×１０−２ｍ／ｓ２＋９．８×１０−３ｍ／ｓ２……＋９．８×１０−ｎ＋１ｍ／ｓ２
１０−１×Ｓｎ＝９．８×１０−１ｍ／ｓ２＋９．８×１０−２ｍ／ｓ２＋９．８×１０−３ｍ／ｓ２……＋９．８×１０−ｎ＋１ｍ／ｓ２＋９．８×１０−ｎｍ／ｓ２
（１−１０−１）Ｓｎ＝９．８（１＋１０−ｎ）ｍ／ｓ２
Ｓｎ＝９．８（１＋１０−ｎ）ｍ／ｓ２÷（１−１０−１）＝９．８（１＋０）ｍ／ｓ２÷０．９＝１０．８９ｍ／ｓ２
それで、終端速度の加速度は、１０．８９ｍ／ｓ２です。
【請求項２】
地表に近いところからの加速度は、９．８ｍ／ｓ２です。地表から遠いところからの加速度は１０．８９ｍ／ｓ２です。速度を求めるグラフと終端速度はいくらか。終端速度になる時間はいくらか。
地表に近いところからの速度は、Ｖ＝９．８ｔ、です。
地表から遠いところからの終端速度は、Ｖ＝１０．８９ｔ１、です。
ｔ１＝終端速度になる時間、です。
何秒で終端速度になるか。
ｍＫｇの物体を落下させた場合、
終端速度は、９．８ｍ／ｓ２×ｍＫｇ÷ｋですから、
終端速度＝１０．８９ｍ／ｓ２×ｔ１＝９．８ｍ／ｓ２×ｍＫｇ÷ｋ
ｔ１＝９．８ｍ／ｓ２×ｍＫｇ÷（ｋ×１０．８９ｍ／ｓ２）＝０．９×ｍＫｇ÷ｋ
終端速度になる時間は、０．９×ｍＫｇ÷ｋです。
終端速度は、１０．８９ｍ／ｓ２×ｔ１＝１０．８９ｍ／ｓ２×０．９×ｍＫｇ÷ｋ＝９．８ｍ／ｓ×ｍＫｇ÷ｋ、です。
【請求項３】
終端速度を作る終端加速度は１０．８８ｍ／ｓ２である。この事はどのようなことか。
▲１▼終端速度は、物体が落ちるとき受ける磁気の光子のエネルギーの和×物体１Ｋｇが作る磁気の光子のエネルギー、です。
物体が落ちるとき受ける磁気の光子のエネルギーの和＝物体が落ちる場の磁気の光子のエネルギー密度の和。
物体が落ちる場の磁気の光子のエネルギー密度の和はいくらか。
Ｓｎ＝１．２×１０６Ｊ＋１．２×１０５Ｊ＋１．２×１０４Ｊ＋１．２×１０３Ｊ……＋１．２×１０７−ｎＪ
１０−１Ｓｎ＝１．２×１０５Ｊ＋１．２×１０４Ｊ＋１．２×１０３Ｊ……＋１．２×１０７−ｎＪ＋１．２×１０６−ｎＪ
（１−１０−１）Ｓｎ＝１．２×１０６Ｊ＋１．２×１０６−ｎＪ
Ｓｎ＝１．２×１０６（１＋１０−ｎ）Ｊ÷（１−１０−１）＝１．２×１０６（１＋０）Ｊ÷０．９＝１．３３３×１０６Ｊ
物体が落ちる場の磁気の光子のエネルギー密度の和は、１．３３３×１０６Ｊです。
終端加速度＝物体が落ちるとき受ける磁気の光子のエネルギーの和×物体１Ｋｇが作る磁気の光子のエネルギー＝１．３３３×１０６Ｊ×８．１６６×１０−６Ｊ＝１０．８９ｍ／ｓ２
▲２▼終端加速度は、物体が落ちるときの加速度の和と考える。
これは、「請求項」に示した。
【請求項４】
速度の式、１０．８９ｍ／ｓ２×ｔ１＝９．８ｍ／ｓ２×ｍＫｇ÷ｋ、の式から理解できること。
▲１▼１０．８９ｍ／ｓ２×ｔ１＝９．８ｍ／ｓ２×ｍＫｇ÷ｋ
１０．８９ｍ／ｓ２×ｔ１＝９．８ｍ／ｓ２×ｍＫｇ÷ｋ
ｋ＝９．８ｍ／ｓ２×ｍＫｇ÷（１０．８９ｍ／ｓ２×ｔ１）
ｋ＝地上でのｍＫｇの物質の引力÷ｔ１時の速度＝地上でのｍＫｇの物質の引力÷終端速度
終端速度＝地上でのｍＫｇの物質の引力÷ｋ
▲２▼１０．８９ｍ／ｓ２×ｔ１＝９．８ｍ／ｓ２×ｍＫｇ÷ｋ
１０．８９ｍ／ｓ２×ｔ１÷９．８ｍ／ｓ２＝ｍＫｇ÷ｋ
１．１１１×ｔ１＝ｍＫｇ÷ｋ
ｋ＝ｍＫｇ÷（１．１１１×ｔ１）
ｋは、ｍＫｇ÷（１．１１１×ｔ１）です。
ｋは、約ｍＫｇ÷ｔ１です。
【請求項５】
スカイダイビングでは、飛び出して１０秒ほどで最終的な速度、１８０Ｋｍ／ｈから２２０Ｋｍ／ｈになる。４００ｍから落下しても、３０００ｍから落下しても、同じ速度２００Ｋｍ／ｈで落ちる。終端速度は２００Ｋｍ／ｈです。この場合、終端速度になる時間はいくらか。ｋはいくらか。
スカイダイビングをする人とスカイダイビングの用具の合計質量を１００Ｋｇとする場合。
終端速度の秒速＝２００Ｋｍ÷（６０×６０）＝５５．５５ｍ
Ｖ＝１０．８９ｔ１
５５．５５ｍ／ｓ＝１０．８９ｍ／ｓ２×ｔ１
ｔ１＝５５．５５ｍ／ｓ÷１０．８９ｍ／ｓ２＝５．１ｓ
ｋ＝ｍＫｇ÷（１．１１１×ｔ１）＝１００Ｋｇ÷（１．１１１×５．１）＝１７．６４９
終端速度になる時間は、５．１秒です。
ｋの値は、１７．６４９です。
【請求項６】
銀河系の腕の歴史について。クエーサー時代、大きな軌道、中位の軌道、小さな軌道はどのようにできたか。クエーサーの中心部の質量がが太陽質量の何倍のとき、大きな軌道、中位の軌道、小さな軌道はできたか。
私は、２００８年１月４日に特許出願した、特願２００８−２３３０９の「請求項２８」で、
「１０−１６ｍの時代（電子のラブの公転軌道が１０−１６ｍの時で、宇宙年齢は１億歳です。）のクエーサーの中心のブラックホールの質量は、太陽質量の１０６＋２倍でした。
クエーサーの中心部の質量が太陽の１０８倍の場合。
クエーサーの大きさは１．８３９×１０１４ｍです。
ジェットが届く距離は３．０６５×１０１５ｍです。
それで、
大きな軌道は、３×１０１５ｍで、
中位の軌道は、２×１０１５ｍで、
小さい軌道は、１０１５ｍです。」と記した。
・大きな軌道、中位の軌道、小さな軌道を作った、クエーサーの中心のブラックホールの質量は太陽質量の何倍か。
私は、２００７年８月２５日に特許出願した、特願２００７−２４６１３９の「請求項２２」で、
中心部が太陽質量のβ倍のクエーサーや銀河のＡの値は、Ａ＝４．３２５×１０４×β１／３です。
「請求項２４」で、
ジェットの届く距離＝６．９６×１０５Ｋｍ×８４９×Ａ÷（３．８７２×１０３）＝１．５２６×１０５Ｋｍ×Ａ
と理解した。
それで、
ジェットの届く距離＝１．５２６×１０５Ｋｍ×Ａ＝１．５２６×１０５Ｋｍ×４．３２５×１０４×β１／３＝６．６００×１０９Ｋｍ×β１／３
▲１▼大きな軌道は、クエーサーの中心のブラックホールの質量が太陽質量の何倍の時できたか。
大きな軌道は、クエーサーの中心から３×１０１２Ｋｍです。
クエーサーの中心のブラックホールから噴出したジェットは３×１０１２Ｋｍまで届いた。
ジェットの届く距離＝６．６００×１０９Ｋｍ×β１／３
３×１０１２Ｋｍ＝６．６００×１０９Ｋｍ×β１／３
β１／３＝３×１０１２Ｋｍ÷（６．６００×１０９Ｋｍ）＝４．５４５×１０２
β＝（４．５４５×１０２）３＝９．３８９×１０７
太陽質量の９．３８９×１０７倍のクエーサーの中心のブラックホールから噴出するジェットは、３×１０１２Ｋｍまで届きます。
よって、クエーサーの中心のブラックホールの質量が、太陽質量の９．３８９×１０７倍の時、半径３×１０１２Ｋｍの軌道に、ブラックホールの素子の集合団が小惑星のようにできた。これが大きな軌道です。
▲２▼中位の軌道は、クエーサーの中心のブラックホールの質量が太陽質量の何倍の時できたか。
中位の軌道は、クエーサーの中心から２×１０１２Ｋｍです。
クエーサーの中心のブラックホールから噴出したジェットは２×１０１２Ｋｍまで届いた。
ジェットの届く距離＝６．６００×１０９Ｋｍ×β１／３
２×１０１２Ｋｍ＝６．６００×１０９Ｋｍ×β１／３
β１／３＝２×１０１２Ｋｍ÷（６．６００×１０９Ｋｍ）＝３．０３０×１０２
β＝（３．０３０×１０２）３＝２．７８２×１０７
太陽質量の２．７８２×１０７倍のクエーサーの中心のブラックホールから噴出するジェットは、２×１０１２Ｋｍまで届きます。
よって、クエーサーの中心のブラックホールの質量が、太陽質量の２．７８２×１０７倍の時、半径２×１０１２Ｋｍの軌道に、ブラックホールの素子の集合団が小惑星のようにできた。これが中位の軌道です。
▲３▼小さな軌道は、クエーサーの中心のブラックホールの質量が太陽質量の何倍の時できたか。
小さな軌道は、クエーサーの中心から１０１２Ｋｍです。
クエーサーの中心のブラックホールから噴出したジェットは１０１２Ｋｍまで届いた。
ジェットの届く距離＝６．６００×１０９Ｋｍ×β１／３
１０１２Ｋｍ＝６．６００×１０９Ｋｍ×β１／３
β１／３＝１０１２Ｋｍ÷（６．６００×１０９Ｋｍ）＝１．５１５×１０２
β＝（１．５１５×１０２）３＝３．４７７×１０６
太陽質量の３．４７７×１０６倍のクエーサーの中心のブラックホールから噴出するジェットは、１０１２Ｋｍまで届きます。
よって、クエーサーの中心のブラックホールの質量が、太陽質量の３．４７７×１０６倍の時、半径１０１２Ｋｍの軌道に、ブラックホールの素子の集合団が小惑星のようにできた。これが小さい軌道です。
この事によって理解できたこと。
１．先に、半径３×１０１２Ｋｍの軌道にブラックホールの素子の集団がまるで小惑星のようにできた。これが後に、大きな腕になった。
２．次に、半径２×１０１２Ｋｍの軌道にブラックホールの素子の集団がまるで小惑星のようにできた。これが後に、中位の腕になった。
３．最後に、半径１０１２Ｋｍの軌道にブラックホールの素子の集団がまるで小惑星のようにできた。これが後に、小さな腕になった。
４．大きい軌道は、クエーサーの中心のブラックホールの質量が、太陽質量の９．３８９×１０７倍の時できたので、大きな腕には、３世代の星が多い。
５．中位の軌道は、クエーサーの中心のブラックホールの質量が、太陽質量の２．７８２×１０７倍の時できたので、中位の腕には、２世代の星が多い。
６．小さい軌道は、クエーサーの中心のブラックホールの質量が、太陽質量の３．４７７×１０６倍の時できたので、小さい腕には、１世代の星が多い。
７．大きな腕には、地球より原子番号の大きい元素が存在する。
クエーサー時代
2008228567.tif 000015
【請求項７】
クエーサー時代、ジェットでできた大きな軌道、中位の軌道、小さい軌道が、現在、大きな腕、中位の腕、小さな腕に成った事の証明。
▲１▼大きな軌道の場合。
クエーサーの中心のブラックホールが太陽質量の９．３８９×１０７倍の時代、ジェットは３×１０１２Ｋｍの軌道に届いた。
その軌道のエネルギーは、現在のエネルギーの１０２倍ですから、太陽質量の１．２４７×１０４＋２倍です。
クエーサーの中心の太陽質量の９．３８７×１０７倍のエネルギーで、半径３×１０１２Ｋｍに、太陽質量の１．２４７×１０４＋２倍のエネルギーの軌道を作った。
この軌道×エネルギーは、エネルギーを質量として表しますと、軌道×質量です。
軌道×質量＝３×１０１２Ｋｍ×２×１．２４７×１０４＋２太陽質量＝７．４８２×１０１８Ｋｍ・太陽質量、です。
クエーサーの中心の太陽質量の９．３８９×１０７倍のエネルギーで、半径３×１０１２Ｋｍに、７．４８２×１０１８Ｋｍ・太陽質量の軌道エネルギーを作った。
現在、この軌道エネルギーが大きな腕の中心の軌道エネルギーになっている。
現在の大きな腕の中心の軌道・質量は、
軌道・質量＝４×１０４光年×２×１．２４７×１０４太陽質量＝４×１０４×９．４６×１０１２Ｋｍ×２×１．２４７×１０４太陽質量＝９．４３７×１０２１Ｋｍ・太陽質量
現在の大きな腕の中心の軌道・質量は、クオーク時代の大きな軌道の軌道・質量の何倍か。
現在の大きな腕の中心の軌道・質量÷クオーク時代の大きな軌道の軌道・質量＝９．４３７×１０２１Ｋｍ・太陽質量÷（７．４８２×１０１８Ｋｍ・太陽質量）＝１．２６１×１０３（倍）
この理由は、現在の大きな腕の中心は、エネルギーは１００分の１になったけれども、軌道は、
３．７８４×１０１７ｍ×２÷（３×１０１２Ｋｍ×２）＝１．２６１×１０５倍になったからです。
▲２▼中ぐらいの軌道の場合。
クエーサーの中心のブラックホールが太陽質量の２．７７４×１０７倍の時代、ジェットは２×１０１２Ｋｍの軌道に届いた。
その軌道のエネルギーは現在のエネルギーの１０２倍ですから、太陽質量の５．２５２×１０３＋２倍です。
クエーサーの中心の太陽質量の２．７８２×１０７倍のエネルギーで、半径２×１０１２Ｋｍに、太陽質量の５．２５２×１０３＋２倍のエネルギーの軌道を作った。
この軌道×エネルギーは、エネルギーを質量として表すと、軌道×質量です。
軌道・質量＝２×１０１２Ｋｍ×２×５．２５２×１０３＋２太陽質量＝２．１０×１０１８Ｋｍ太陽質量、です。
クエーサーの中心の太陽質量の２．７８２×１０７倍のエネルギーで、半径２×１０１２Ｋｍに、２．１０×１０１８Ｋｍ・太陽質量の軌道エネルギーを作った。
現在、この軌道エネルギーが中位の腕の中心の軌道エネルギーになっている。
現在の中位の腕の中心の軌道・質量は＝３×１０４光年×２×５．２５２×１０３太陽質量＝２．８３８×１０１７Ｋｍ×２×５．２５２×１０３太陽質量＝２．９８１×１０２１Ｋｍ・太陽質量、です。
現在の中位の腕の中心の軌道・質量は、クオーク時代の中位の軌道の軌道・質量の何倍か。
現在の中位の腕の中心の軌道・質量÷クオーク時代の中位の軌道の軌道・質量＝２．９８１×１０２１Ｋｍ・太陽質量÷（２．１０×１０１８Ｋｍ・太陽質量）＝１．４１９×１０３（倍）
この理由は、現在の中位の腕の中心は、エネルギーは１００分の１になったけれども、軌道は、
２．８３８×１０１７ｍ×２÷（２×１０１２Ｋｍ×２）＝１．４１９×１０５倍になったからです。
▲３▼小さな軌道の場合。
クエーサーの中心のブラックホールが太陽質量の３．４７７×１０６倍の時代、ジェットは１０１２Ｋｍの軌道に届いた。
その軌道のエネルギーを太陽質量の１．５×１０３倍とした。
クエーサーの中心の太陽質量の３．４７７×１０６倍のエネルギーで、半径１０１２Ｋｍに、太陽質量の１．５２５×１０３＋２倍のエネルギーの軌道を作った。
この軌道×エネルギーは、エネルギーを質量として表すと、軌道・質量になります。
軌道・質量＝１０１２Ｋｍ×２×１．５２５×１０３＋２太陽質量＝３．０５×１０１７Ｋｍ・太陽質量、です。
クエーサーの中心の太陽質量の３．４７７×１０６倍のエネルギーで、半径１０１２Ｋｍに、３．０５×１０１５Ｋｍ・太陽質量の軌道エネルギーを作った。
現在、この軌道エネルギーが小さな腕の中心の軌道エネルギーになっている。
現在の中位の腕の中心の軌道・質量＝２×１０４光年×２×１．５２５×１０３太陽質量＝２×１０４×９．４６×１０１２Ｋｍ×２×１．５２５×１０３太陽質量＝５．７７１×１０２０Ｋｍ・太陽質量、です。
現在の小さい腕の中心の軌道・質量は、クオーク時代の小さい軌道の軌道・質量の何倍か。
現在の小さい腕の中心の軌道・質量÷クオーク時代の小さいの軌道の軌道・質量＝５．７７１×１０２０Ｋｍ・太陽質量÷（３．０５×１０１７Ｋｍ・太陽質量）＝１．８９２×１０３（倍）
この理由は、現在の小さい腕の中心は、エネルギーは１００分の１になったけれども、軌道は、
１．８９２×１０１７ｍ×２÷（１０１２Ｋｍ×２）＝１．８９２×１０５倍になったからです。
大きな軌道から大きな腕になった場合の、軌道・エネルギー（軌道・質量）の倍数と、中位の軌道から中位の腕になった場合の、軌道・エネルギー（軌道・質量）の倍数と、小さい軌道から小さい腕になった場合の、軌道・エネルギー（軌道・質量）の倍数はほぼ同じであり、この事によって、大きな軌道が大きな腕になり、中位の軌道が中位の腕になり、小さい軌道が小さい腕になった事が理解できる。
これを表にする。
2008228567.tif 000016
【請求項８】
クエーサーの中心のエネルギーが軌道の中心の軌道エネルギーを作ったことの証明。
▲１▼軌道の中心の軌道エネルギーの比と、それを作ったクエーサーの中心の軌道エネルギーの比を比較する。
軌道の中心の軌道エネルギーの比は、
大きな軌道の中心の軌道エネルギー：中位の軌道の中心の軌道エネルギー：小さな軌道の中心の軌道エネルギー＝７．４８２×１０１８Ｋｍ・太陽質量；２．１０×１０１８Ｋｍ・太陽質量：３．０５×１０１７Ｋｍ・太陽質量＝２４．５：６．９：１
それを作ったクエーサーの中心のエネルギーの比は、
太陽質量の９．３８９×１０７倍：太陽質量の２．７８２×１０７倍：太陽質量の３．４７７×１０６倍＝２７：８：１
この事によって、クエーサーの中心のエネルギーが腕の軌道エネルギーを作ったと理解できる。
▲２▼１太陽質量でできる軌道の距離を比較する。
１太陽質量でできる軌道の距離＝軌道の中心部の軌道・質量÷軌道を作ったクエーサーの中心のブラックホールの軌道・質量
大きい軌道の場合。
１太陽質量でできる軌道の距離＝軌道の中心部の軌道・質量÷軌道を作ったクエーサーの中心のブラックホールの軌道・質量＝７．４８２×１０１８Ｋｍ・太陽質量÷（太陽質量の９．３８９×１０７倍）＝７．９６９×１０１０Ｋｍ
中位の軌道の場合。
１太陽質量でできる軌道の距離＝軌道の中心部の軌道・質量÷軌道を作ったクエーサーの中心のブラックホールの軌道・質量＝２．１０×１０１８Ｋｍ・太陽質量÷（太陽質量の２．７８２×１０７倍）＝７．５４９×１０１０Ｋｍ
小さい軌道の場合。
１太陽質量でできる軌道の距離＝軌道の中心部の軌道・質量÷軌道を作ったクエーサーの中心のブラックホールの軌道・質量＝３．０５×１０１７Ｋｍ・太陽質量÷（太陽質量の３．４７７×１０６倍）＝８．７７２×１０１０Ｋｍ
１太陽質量でできる軌道の距離はほぼ同じであることによって、、エーサーの中心のブラックホールのエネルギーが噴出し、その質量エネルギーが軌道の中心の軌道・質量（エネルギー）を作ったと理解できる。
この事により理解できること。
１．クエーサーの中心のブラックホールのエネルギーが噴出し、届いた軌道に軌道エネルギーを作った。
２．この軌道エネルギーが、大きな腕、中位の腕、小さな腕、の中心の軌道エネルギーになっている。
３．大きな腕の中心の軌道のエネルギーが大きい。それで、速度は大きい。中位の腕の中心の軌道のエネルギーは中位。それで、速度は中位。小さい腕の中心の軌道のエネルギーは小さい。それで、速度は小さい。この事によって、大きな腕と中位の腕と小さな腕は一緒に進む。
これを表にする。
2008228567.tif 000017
まとめて表にする。
クエーサー時代にできた、大きい軌道、中位の軌道、小さい軌道のようす。
2008228567.tif 000018
現在の大きな腕、中位の腕、小さい腕のようす。
2008228567.tif 000019
2008228567.tif 000020
【請求項９】
銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、銀河系の大きい腕、中位の腕、小さい腕、の中央のブラックホールの質量を求める。
（私は、２００８年１月４日に特許出願した、２００８−２３３０９の「特許請求２５」で、小さい腕、中位の腕、大きい腕、の中心のブラックホールの質量は太陽質量の何倍であるかを、原子数から求めた。）
私は、２００８年１月４日に特許出願した、２００８−２３３０９の「請求項１７」で、銀河の中心のブラックホールの質量が太陽質量の１０ｎ倍の場合の一般式を求めた。
「それは、
星の軌道エネルギーの式はいくらか。
星の軌道のエネルギー＝光子の数×届く１個の光子のエネルギー＝ブラックホールの表面に存在する原子数×届く１個の光子のエネルギー＝５．４７１×１０３８×１０２ｎ／３個×１０−２０Ｊ・Ｋｍ÷距離、です。
星が存在する軌道の速度（星の速度）はいくらか。
速度２＝軌道のエネルギー＝５．４７１×１０１８＋２ｎ／３Ｊ・Ｋｍ÷距離
速度＝（５．４７１×１０１８＋２ｎ／３Ｊ・Ｋｍ÷距離）１／２」と記した。
５．４７１は５．４３８です。
この式により、どのような軌道でも、軌道の速度と軌道のエネルギーを求めることができる。中心のブラックホールの質量を求めることができる。
この式から、銀河系の大きい腕、中位の腕、小さい腕、の中心のブラックホールの質量を求める。
私は、２００８年１月４日に提出した、特願２００８−２３３０９の「請求項２２」で、「軌道のエネルギー＝速度２＝加速度、であるのは、公転軌道の場合であり、螺旋回転の場合は軌道エネルギー×７９．６８＝速度２＝加速度、である。」と記した。
加速度は間違いですから消去する。（これについては、２００８年２月２日に提出した、特願２００８−５１２１８の「請求項１」に記した。）
それで、
Ａ．公転速度から求める。
Ｂ．螺旋軌道から求める。
この２つの方法で求める。
Ａ．速度を公転速度とした場合。（この場合、軌道のエネルギー＝５．４７１×１０１８＋２ｎ／３Ｊ・Ｋｍ÷距離で計算する。）
▲１▼大きな腕の中心のブラックホールの質量はいくらか。
大きな腕の公転速度は、３５１．６Ｋｍ／ｓです。距離は、腕の半径で、２５００光年＝２．３６５×１０１６Ｋｍです。
速度２＝軌道のエネルギー＝５．４７１×１０１８＋２ｎ／３Ｊ・Ｋｍ÷距離
３５１．６２Ｊ＝５．４７１×１０１８＋２ｎ／３Ｊ・Ｋｍ÷（２．３６５×１０１６Ｋｍ）
１０１８＋２ｎ／３＝３５１．６２÷５．４７１×２．３６５×１０１６＝５．３７６×１０２０
１０２ｎ／３＝５．３７６×１０２
１０ｎ＝５．３７６３／２×１０２×３／２＝２．３１９３×１０３＝１．２４７×１０４
大きい腕の中心のブラックホールの質量は、太陽質量の１．２４７×１０４倍です。
▲２▼中位の腕の中心のブラックホールの質量はいくらか。
中位の腕の公転速度は、２６３．７Ｋｍ／ｓです。距離は、腕の半径で、２５００光年＝２．３６５×１０１６Ｋｍです。
速度２＝軌道のエネルギー＝５．４７１×１０１８＋２ｎ／３Ｊ・Ｋｍ÷距離
２６３．７２Ｊ＝５．４７１×１０１８＋２ｎ／３Ｊ・Ｋｍ÷（２．３６５×１０１６Ｋｍ）
１０１８＋２ｎ／３＝２６３．７２÷５．４７１×２．３６５×１０１６＝３．０２４×１０２０
１０２ｎ／３＝３．０２４×１０２
１０ｎ＝３．０２４３／２×１０２×３／２＝１．７３９３×１０３＝５．２５９×１０３
中位の腕の中心のブラックホールの質量は、太陽質量の５．２５９×１０３倍です。
▲３▼小さい腕の中心のブラックホールの質量はいくらか。
小さい腕の公転速度は、１７５．８Ｋｍ／ｓ２です。距離は、腕の半径で、２５００光年＝２．３６５×１０１６Ｋｍです。
速度２＝軌道のエネルギー＝５．４７１×１０１８＋２ｎ／３Ｊ・Ｋｍ÷距離
１７５．８２Ｊ＝５．４７１×１０１８＋２ｎ／３Ｊ・Ｋｍ÷（２．３６５×１０１６Ｋｍ）
１０１８＋２ｎ／３＝１７５．８２÷５．４７１×２．３６５×１０１６＝１．３４４×１０２０
１０２ｎ／３＝１．３４４×１０２
１０ｎ＝１．３４４３／２×１０２×３／２＝１．１５９３×１０３＝１．５５７×１０３
小さい腕の中心のブラックホールの質量は、太陽質量の１．１５９×１０３倍です。
Ｂ．速度を螺旋回転とした場合。（この場合は、軌道のエネルギー＝５．４３８×１０１８＋２ｎ／３Ｊ・Ｋｍ÷距離、で計算する。）
軌道エネルギー＝速度２÷７９．６８、です。
▲１▼大きい腕の中心のブラックホール質量はいくらか。
大きな腕の螺旋速度は、３１３８．７Ｋｍ／ｓです。距離は、腕の半径で、２５００光年＝２．３６５×１０１６Ｋｍです。
軌道のエネルギー＝速度２÷７９．７（大きい腕の場合は７９．７倍です。）
軌道のエネルギー＝３１３８．７２÷７９．７＝１．２３６×１０５
１．２３６×１０５＝５．４３８×１０１８＋２ｎ／３Ｊ・Ｋｍ÷（２．３６５×１０１６Ｋｍ）
１０１８＋２ｎ／３＝１．２３６×１０５×２．３６５×１０１６÷５．４３８＝５．３７５×１０２０
１０２ｎ／３＝５．３７５×１０２
１０ｎ＝５．３７５３／２×１０２×３／２＝２．３１８３×１０３＝１．２４５×１０４
大きい腕の中心のブラックホール質量は、太陽質量の１．２４５×１０４倍です。
▲２▼中位の腕の中心のブラックホール質量はいくらか。
中位の腕の螺旋回転速度は、２３５４Ｋｍ／ｓです。距離は、腕の半径で、２５００光年＝２．３６５×１０１６Ｋｍです。
軌道のエネルギー＝速度２÷７９．６８（中位の腕の場合は７９．６８倍です。）
軌道のエネルギー＝２３５４２÷７９．６８＝６．９５４×１０４
６．９５４×１０４＝５．４３８×１０１８＋２ｎ／３Ｊ・Ｋｍ÷（２．３６５×１０１６Ｋｍ）
１０１８＋２ｎ／３＝６．９５４×１０４×２．３６５×１０１６÷５．４３８＝３．０２４×１０２０
１０２ｎ／３＝３．０２４×１０２
１０ｎ＝３．０２４３／２×１０２×３／２＝５．２５９×１０３
中位の腕の中心のブラックホール質量は、太陽質量の５．２５９×１０３倍です。
▲３▼小さい腕の中心のブラックホール質量はいくらか。
小さい腕の螺旋回転速度は、１５６９．３Ｋｍ／ｓです。距離は、腕の半径で、２５００光年＝２．３６５×１０１６Ｋｍです。
軌道のエネルギー＝速度２÷７９．６５（小さい腕の場合は７９．６５倍です。）
軌道のエネルギー＝１５６９．３２÷７９．６５＝３．０９２×１０４
３．０９２×１０４＝５．４３８×１０１８＋２ｎ／３Ｊ・Ｋｍ÷（２．３６５×１０１６Ｋｍ）
１０１８＋２ｎ／３＝３．０９２×１０４×２．３６５×１０１６÷５．４３８＝１．３４５×１０２０
１０２ｎ／３＝１．３４５×１０２
１０ｎ＝１．３４５３／２×１０２×３／２＝１．１６０３×１０３＝１．５６１×１０３
小さい腕の中心のブラックホール質量は、太陽質量の１．５６１×１０３倍です。
表にする。
Ａの場合。この場合は、軌道のエネルギー＝５．４７１×１０１８＋２ｎ／３Ｊ・Ｋｍ÷距離、で計算する
2008228567.tif 000021
2008228567.tif 000022
Ｂの場合。この場合は、軌道のエネルギー＝５．４３８×１０１８＋２ｎ／３Ｊ・Ｋｍ÷距離、で計算する
2008228567.tif 000023
【請求項１０】
銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、銀河系の軌道のエネルギーと速度を求める。
▲１▼銀河系の中心から１光年の軌道のエネルギーと速度はいくらか。
銀河系の中心のブラックホールの質量は、太陽質量の１０６倍です。
距離＝１光年＝３×１０５Ｋｍ×３６５×２４×６０×６０＝９．４６１×１０１２Ｋｍ
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１２Ｋｍ）＝５．７４８×１０９Ｊ
軌道の速度２＝５．７４８×１０９
軌道の速度＝（５．７４８×１０９）１／２＝（５７．４８×１０８）１／２＝７．５８２×１０４（Ｋｍ／ｓ）
銀河系の中心から１光年の軌道のエネルギーは５．７４８×１０９Ｊで、速度は７．５８２×１０４Ｋｍ／ｓです。
▲２▼銀河系の中心から１０光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１３Ｋｍ）＝５．７４８×１０８Ｊ
軌道の速度２＝５．７４８×１０８Ｋｍ／ｓ
軌道の速度＝（５．７４８×１０８）１／２Ｋｍ／ｓ＝２．３９７×１０４Ｋｍ／ｓ
銀河系の中心から１０光年の軌道のエネルギーは５．７４８×１０８Ｊで、速度は２．３９７×１０４Ｋｍ／ｓです。
▲３▼銀河系の中心から１００光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１４Ｋｍ）＝５．７４８×１０９Ｊ
軌道の速度２＝５．７４８×１０９Ｋｍ／ｓ
軌道の速度＝（５７．４８×１０８）１／２Ｋｍ／ｓ＝７．５８２×１０４Ｋｍ／ｓ
銀河系の中心から１００光年の軌道のエネルギーは５．７４８×１０９Ｊで、速度は７．５８２×１０４Ｋｍ／ｓです。
▲４▼銀河系の中心から１０００光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１５Ｋｍ）＝５．７４８×１０６Ｊ
軌道の速度２＝５．７４８×１０６Ｋｍ／ｓ
軌道の速度＝（５．７４８×１０６）１／２Ｋｍ／ｓ＝２．３９７×１０３Ｋｍ／ｓ
銀河系の中心から１０００光年の軌道のエネルギーは５．７４８×１０６Ｊで、速度は２．３９７×１０３Ｋｍ／ｓです。
▲５▼銀河系の中心から１００００光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１６Ｋｍ）＝５．７４８×１０５Ｊ
軌道の速度２＝５．７４８×１０５Ｋｍ／ｓ
軌道の速度＝（５７．４８×１０４）１／２Ｋｍ／ｓ＝７．５８２×１０２Ｋｍ／ｓ
銀河系の中心から１００００光年の軌道のエネルギーは５．７４８×１０５Ｊで、速度は７．５８２×１０２Ｋｍ／ｓです。
▲６▼銀河系の中心から２００００光年の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（２×９．４６１×１０１６Ｋｍ）＝２．８７４×１０５Ｊ
軌道の速度２＝２．８７４×１０５Ｋｍ／ｓ
軌道の速度＝（２８．７４×１０４）１／２Ｋｍ／ｓ＝５．３６１×１０２Ｋｍ／ｓ
銀河系の中心から２００００光年の軌道のエネルギーは２．８７４×１０５Ｊで、速度は５．３６１×１０２Ｋｍ／ｓです。
▲７▼銀河系の中心から３００００光年の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（３×９．４６１×１０１６Ｋｍ）＝１．９１６×１０５Ｊ
軌道の速度２＝１．９１６×１０５Ｋｍ／ｓ
軌道の速度＝（１９．１６×１０４）１／２Ｋｍ／ｓ＝４．３７７×１０２Ｋｍ／ｓ
銀河系の中心から３００００光年の軌道のエネルギーは１．９１６×１０５Ｊで、速度は４．３７７×１０２Ｋｍ／ｓです。
▲８▼銀河系の中心から４００００光年の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（４×９．４６１×１０１６Ｋｍ）＝１．４３７×１０５Ｊ
軌道の速度２＝１．４３７×１０５Ｋｍ／ｓ
軌道の速度＝（１４．３７×１０４）１／２Ｋｍ／ｓ＝３．７９１×１０２Ｋｍ／ｓ
銀河系の中心から４００００光年の軌道のエネルギーは１．４３７×１０５Ｊで、速度は３．７９１×１０２Ｋｍ／ｓです。
表に示す。
2008228567.tif 000024
【請求項１１】
２×１０４光年の軌道の速度は５．３６１×１０２Ｋｍ／ｓであるべきなのに、小さな腕の公転速度は１７５．８Ｋｍ／ｓで、小さな腕の螺旋回転速度は１５６９Ｋｍ／ｓです。３×１０４光年の軌道の速度は４．３７７×１０２Ｋｍ／ｓであるべきなのに、中位の腕の公転速度は２６３．７Ｋｍ／ｓで、中位の腕の螺旋回転速度は２３５４Ｋｍ／ｓです。４×１０４光年の軌道の速度は３．７９１×１０２Ｋｍ／ｓであるべきなのに、大きい腕の公転速度は３５１．６Ｋｍ／ｓで、大きい腕の螺旋回転は３１３８．７Ｋｍ／ｓです。何が原因でこのようになるか。
小さい腕、中位の腕、大きい腕の星たちが回転しているのは螺旋回転であり、公転速度は螺旋回転によってできる、銀河系を公転する速度です。
小さい腕、中位の腕、大きな腕、の螺旋速度は、それぞれの腕の中心のブラックホールの質量と距離で決定される。小さい腕、中位の腕、大きな腕、の螺旋速度が速いのは、距離が近いからです。
螺旋回転速度は速いが、その螺旋回転によってできる、銀河系を公転する速度は遅い。
小さい腕、中位の腕、大きい腕の星達の銀河系を公転する速度が遅い原因は、星達の速度は、より近いブラックホールの質量により決定されるからです。
この事により理解できること。
１．星達の回転速度は、より近い距離のブラックホールの質量により決定される。
【請求項１２】
銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、クエーサー時代のクエーサーやジェットが届く軌道のエネルギーと速度を求める。
クエーサー時代、クエーサーの中心のブラックホールの質量は、太陽質量の１０８倍です。
クエーサーの大きさは、１．８３９×１０１４ｍです。１．８３９×１０１１Ｋｍです。
ジェットが届く距離は３．０６５×１０１５ｍです。
▲１▼クエーサーの中心から１．８３９×１０１１Ｋｍの軌道のエネルギーと速度はいくらか。
クエーサーの中心のブラックホールの質量は、太陽質量の１０８倍です。
軌道のエネルギー＝５．４３８×１０１８＋２ｎ／３Ｊ・Ｋｍ÷距離＝軌道の速度２
軌道のエネルギー＝５．４３８×１０１８＋２×８／３Ｊ・Ｋｍ÷（１．８３９×１０１１Ｋｍ）＝２．９５７×１０７×１０５．３３Ｊ＝２．９５７×１０７×１０５×１００．３３Ｊ＝２．９５７×１０１２×２．１５Ｊ＝６．３５８×１０１２Ｊ
軌道の速度２＝６．３５８×１０１２
軌道の速度＝（６．３５８×１０１２）１／２＝２．５２１×１０６（Ｋｍ／ｓ）
クエーサーの中心から１．８３９×１０１１Ｋｍの軌道のエネルギーは６．３５８×１０１２Ｊで、速度は２．５２１×１０６Ｋｍ／ｓです。
これは光速以上です。
▲２▼クエーサーの時代、ジェットが届く距離３．０６５×１０１２Ｋｍの軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×８／３Ｊ・Ｋｍ÷（３．０６５×１０１２Ｋｍ）＝１．７７４×１０６×１０５．３３Ｊ＝１．７７４×１０６×１０５×１００．３３Ｊ＝１．７７４×１０１１×２．１５Ｊ＝３．８１４×１０１１Ｊ
軌道の速度２＝３．８１４×１０１１
軌道の速度＝（３．８１４×１０１１）１／２＝（３８．１４×１０１０）１／２＝６．１７６×１０５（Ｋｍ／ｓ）
クエーサーの時代、ジェットが届く距離３．０６５×１０１２Ｋｍの軌道のエネルギーは３．８１４×１０１１Ｊで、速度は６．１７６×１０５Ｋｍ／ｓです。
これは光速以上です。
2008228567.tif 000025
【請求項１３】
１Ｋｇでできる引力は８．１６８×１０−６Ｊｍなのか、それとも、８．１６８×１０−６Ｊなのか。
１Ｋｇの物体と１Ｋｇの物体が１ｍ離れているとき、できる引力は、
▲１▼８．１６８×１０−６Ｊｍとする場合、
８．１６８×１０−６Ｊｍ×８．１６８×１０−６Ｊｍ÷１ｍ２＝６．６７２×１０−１１Ｊ、です。
▲２▼８．１６８×１０−６Ｊとする場合、
８．１６８×１０−６Ｊ×８．１６８×１０−６Ｊ÷１ｍ２＝８．１６８×１０−６Ｎｍ×８．１６８×１０−６Ｎｍ÷１ｍ２＝６．６７２×１０−１１Ｎ、です。
よって、１Ｋｇでできる引力は、８．１６８×１０−６Ｊです。
【請求項１４】
「熱粒子」はどのようになっているか。
私は、２００８年２月２日に特許出願した、特願２００８−５１２１８の「請求項５．６」で、電気の光子が遠赤外線になった時、磁気の光子が１個１個独立し、電気の光子の軌道が切れ、「熱の粒子」に成り、熱ができると記した。
電気の光子は遠赤外線の軌道で熱エネルギーに変換します。
これは、磁気の光子の軌道が大きくなり、電気の光子の軌道が切れるためです。
電子のラブは、１公転する間に１０８回自転するので、電気の光子の円周は、１０８箇所で切れる。
・遠赤外線の軌道はいくらか。
１秒間に１℃の熱エネルギーになる場合。
電気の光子の軌道をＹｍにする。
１秒間でできる電気の光子のエネルギー＝電気の光子１個のエネルギー×１秒間の公転数＝１０−４１Ｊｍ÷Ｙｍ×１０１６公転＝１℃＝２７３×１．３８×１０−２３Ｊ＝３．７６７×１０−２１Ｊ
Ｙｍ＝１０−４１Ｊｍ×１０１６公転÷（３．７６７×１０−２１Ｊ）＝２．６５５×１０−５
１秒間に１℃の熱エネルギーになる場合、遠赤外線の軌道は、２．６５５×１０−５ｍです。波長は５．３１×１０−５ｍです。
・「熱粒子」の軌道はいくらか。
遠赤外線の円周は、１０８等分され、「熱粒子」になる。
熱粒子の軌道をＴｍとする。
遠赤外線の電気の光子の円周÷１０８＝πＴｍ
π×２．６５５×１０−５ｍ÷１０８＝８．３３７×１０−１３ｍ＝πＴｍ
Ｔｍ＝８．３３７×１０−１３ｍ÷３．１４＝２．６５５×１０−１３ｍ
「熱粒子」の直径は、２．６５５×１０−１３ｍです。
このエネルギーは、
１秒間にできるエネルギー÷１秒間の公転数÷１公転の自転数
＝３．７６７×１０−２１Ｊ÷１０１６個÷１０８個＝３．７６７×１０−４５Ｊ、です。
１秒間にできるエネルギーは、
３．７６７×１０−４５Ｊ×１０８個×１０１６個＝３．７６７×１０−２１Ｊ、です。
即ち、遠赤外線の軌道が２．６５５×１０−５ｍの電気の光子は、１０８等分に分かれ、１個が２．６５５×１０−１３ｍの軌道の「熱粒子」になります。
この「熱粒子」のエネルギーは、３．７６７×１０−４５Ｊです。
熱粒子が１０８個集まって、３．７６７×１０−３７Ｊの熱ができます。
熱粒子が１０１６個集まって、３．７６７×１０−２９Ｊの熱ができます。
熱粒子が１０２４個集まって、３．７６７×１０−２１Ｊの熱ができます。
【発明の詳細な説明】
【技術分野】
【０００１】  この発明は、落下速度と宇宙の軌道エネルギーと熱に関する。
【背景技術】
【０００２】  ｍＫｇの物体を落下すると、終端速度＝９．８ｍ／ｓ２×ｍＫｇ÷ｋとなり、一定の速度になる。
【発明の開示】
低いところから落下する場合、落下速度は、９．８ｍ／ｓ２×時間です。ｍＫｇの物体を高いところから落下する場合、終端速度＝９．８ｍ／ｓ２×ｍＫｇ÷ｋとなり、一定です。終端速度＝終端速度の加速度×終端速度になる時間、と表現できる。
加速度は、その場の物質が受ける磁気の光子のエネルギー×ｍＫｇの物質が作る磁気の光子のエネルギーです。高さが１０倍になると、磁気の光子の密度は１／１０になる。それで、物質が受ける磁気の光子のエネルギーは１／１０になる。高さが１０倍になると、加速度は１／１０になる。
【発明が解決しようとする課題】
【０００３】１．終端速度の加速度はいくらか。
２．地表に近いところからの加速度は、９．８ｍ／ｓ２です。地表から遠いところからの加速度は１０．８９ｍ／ｓ２です。速度を求めるグラフと終端速度はいくらか。終端速度になる時間はいくらか。
３．終端速度を作る終端加速度は１０．８８ｍ／ｓ２である。この事はどのようなことか。
４．速度の式、１０．８９ｍ／ｓ２×ｔ１＝９．８ｍ／ｓ２×ｍＫｇ÷ｋ、の式から理解できること。
５．スカイダイビングでは、飛び出して１０秒ほどで最終的な速度、１８０Ｋｍ／ｈから２２０Ｋｍ／ｈになる。４００ｍから落下しても、３０００ｍから落下しても、同じ速度２００Ｋｍ／ｈで落ちる。終端速度は２００Ｋｍ／ｈです。この場合、終端速度になる時間はいくらか。ｋはいくらか。
６．銀河系の腕の歴史について。クエーサー時代、大きな軌道、中位の軌道、小さな軌道はどのようにできたか。クエーサーの中心部の質量が太陽質量の何倍のとき、大きな軌道、中位の軌道、小さな軌道はできたか。
７．クエーサー時代、ジェットでできた大きな軌道、中位の軌道、小さい軌道が、現在、大きな腕、中位の腕、小さな腕に成った事の証明。
８．クエーサーの中心のエネルギーが、大きな軌道、中位の軌道、小さい軌道の中心の軌道エネルギーを作ったことの証明。
９．銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、銀河系の大きい腕、中位の腕、小さい腕、の中央のブラックホールの質量を求める。
１０．銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、銀河系の軌道のエネルギーと速度を求める。
１１．銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、クエーサー時代のクエーサーやジェットが届く軌道のエネルギーと速度を求める。
１２．惑星の軌道はどのようになっているか。
１３．１Ｋｇでできる引力は８．１６８×１０−６Ｊｍなのか、それとも、８．１６８×１０−６Ｊなのか。
１４．「熱粒子」はどのようになっているか。
【発明を解決するための手段】
【０００４】  地表に近いところから落ちる場合、速度は、９．８ｍ／ｓ２×時間です。地表から遠いところから落ちる場合、ｍＫｇの物質が落ちる速度は９．８ｍ／ｓ２×ｍＫｇ÷ｋです。
地表から遠いところから落ちる場合、終端速度になるまでの時間をｔ１とすると、
終端速度＝α×ｔ１と表すことができる。
αは終端速度の加速度です。
加速度９．８ｍ／ｓ２は、地表の磁気の光子のエネルギー×物体１Ｋｇが作る磁気の光子のエネルギー、です。
加速度とは、物体が受ける磁気の光子のエネルギー×物体が作る磁気の光子のエネルギー、です。
物体が作る磁気の光子のエネルギーは、どれほど高い場においても同じです。
しかし、高い場において、、磁気の光子の個数密度は変化します。
高さが１０倍になると、磁気の光子の個数密度は１／１０になります。よって、物体が受ける磁気の光子のエネルギーは１／１０になります。
それで、加速度は、高さによって異なる。
加速度の累計は、９．８ｍ／ｓ２＋０．９８ｍ／ｓ２＋０．０９８ｍ／ｓ２＝１０．８７８ｍ／ｓ２、です。
銀河系の大きい腕、中位の腕、小さい腕がどのようにできたかを、宇宙の軌道エネルギーの式により考える。
【発明の実施態様】
【０００５】１．終端速度の加速度はいくらか。
終端速度の加速度とは、終端速度にいたるまでの加速度です。
地上の加速度は、地上の磁気の光子のエネルギー×１Ｋｇの物質が作る磁気の光子のエネルギー＝１．２×１０６Ｊ×８．１６６×１０−６Ｊ＝９．８ｍ／ｓ２、です。
それで、上空において、磁気の光子のエネルギーはどのようであるか。
磁気の光子１個のエネルギーは変わらない。磁気の光子のエネルギーも、電気のエネルギーと同じように、１０６Ｋｍ走って１／１０になる。
落下する高さはせいぜい１０Ｋｍであるから、１０Ｋｍの標高差では、磁気の光子１個のエネルギーは変わらない。
しかし、磁気の光子の密度は、１０倍の高さになると、磁気の光子の密度は１／１０になる。
標高１０ｍにおいて、磁気の光子のエネルギーは、１．２×１０６Ｊとみなす。
標高１００ｍにおいて、磁気の光子の密度は１／１０になるから、磁気の光子のエネルギーは、１．２×１０５Ｊ。
標高１０００ｍにおいて、磁気の光子の密度は１／１００になるから、磁気の光子のエネルギーは、１．２×１０４Ｊ。
標高１００００ｍにおいて、磁気の光子の密度は１／１０００になるから、磁気の光子のエネルギーは、１．２×１０３Ｊ。
よって、
標高１０ｍの加速度は、標高１０ｍの磁気の光子のエネルギー×１Ｋｇの物質が作る磁気の光子のエネルギー＝１．２×１０６Ｊ×８．１６６×１０−６Ｊ＝９．８ｍ／ｓ２、です。
標高１００ｍの加速度は、標高１００ｍの磁気の光子のエネルギー×１Ｋｇの物質が作る磁気の光子のエネルギー＝１．２×１０５Ｊ×８．１６６×１０−６Ｊ＝０．９８ｍ／ｓ２、です。
標高１０００ｍの加速度は、標高１０００ｍの磁気の光子のエネルギー×１Ｋｇの物質が作る磁気の光子のエネルギー＝１．２×１０４Ｊ×８．１６６×１０−６Ｊ＝０．０９８ｍ／ｓ２、です。
標高１００００ｍの加速度は、標高１００００ｍの磁気の光子のエネルギー×１Ｋｇの物質が作る磁気の光子のエネルギー＝１．２×１０３Ｊ×８．１６６×１０−６Ｊ＝０．００９８ｍ／ｓ２、です。
加速度の累計はいくらか。
Ｓｎ＝９．８ｍ／ｓ２＋０．９８ｍ／ｓ２＋０．０９８ｍ／ｓ２＋０．００９８ｍ／ｓ２＋
Ｓｎ＝９．８ｍ／ｓ２＋９．８×１０−１ｍ／ｓ２＋９．８×１０−２ｍ／ｓ２＋９．８×１０−３ｍ／ｓ２……＋９．８×１０−ｎ＋１ｍ／ｓ２
１０−１×Ｓｎ＝９．８×１０−１ｍ／ｓ２＋９．８×１０−２ｍ／ｓ２＋９．８×１０−３ｍ／ｓ２……＋９．８×１０−ｎ＋１ｍ／ｓ２＋９．８×１０−ｎｍ／ｓ２
（１−１０−１）Ｓｎ＝９．８（１＋１０−ｎ）ｍ／ｓ２
Ｓｎ＝９．８（１＋１０−ｎ）ｍ／ｓ２÷（１−１０−１）＝９．８（１＋０）ｍ／ｓ２÷０．９＝１０．８９ｍ／ｓ２
それで、終端速度の加速度は、１０．８９ｍ／ｓ２です。
２．地表に近いところからの加速度は、９．８ｍ／ｓ２です。地表から遠いところからの加速度は１０．８９ｍ／ｓ２です。速度を求めるグラフと終端速度はいくらか。終端速度になる時間はいくらか。
地表に近いところからの速度は、Ｖ＝９．８ｔ、です。
地表から遠いところからの終端速度は、Ｖ＝１０．８９ｔ１、です。
ｔ１＝終端速度になる時間、です。
何秒で終端速度になるか。
ｍＫｇの物体を落下させた場合、
終端速度は、９．８ｍ／ｓ２×ｍＫｇ÷ｋですから、
終端速度＝１０．８９ｍ／ｓ２×ｔ１＝９．８ｍ／ｓ２×ｍＫｇ÷ｋ
ｔ１＝９．８ｍ／ｓ２×ｍＫｇ÷（ｋ×１０．８９ｍ／ｓ２）＝０．９×ｍＫｇ÷ｋ
終端速度になる時間は、０．９×ｍＫｇ÷ｋです。
終端速度は、１０．８９ｍ／ｓ２×ｔ１＝１０．８９ｍ／ｓ２×０．９×ｍＫｇ÷ｋ＝９．８ｍ／ｓ×ｍＫｇ÷ｋ、です。
３．終端速度を作る終端加速度は１０．８８ｍ／ｓ２である。この事はどのようなことか。
▲１▼終端速度は、物体が落ちるとき受ける磁気の光子のエネルギーの和×物体１Ｋｇが作る磁気の光子のエネルギー、です。
物体が落ちるとき受ける磁気の光子のエネルギーの和＝物体が落ちる場の磁気の光子のエネルギー密度の和。
物体が落ちる場の磁気の光子のエネルギー密度の和はいくらか。
Ｓｎ＝１．２×１０６Ｊ＋１．２×１０５Ｊ＋１．２×１０４Ｊ＋１．２×１０３Ｊ……＋１．２×１０７−ｎＪ
１０−１Ｓｎ＝１．２×１０５Ｊ＋１．２×１０４Ｊ＋１．２×１０３Ｊ……＋１．２×１０７−ｎＪ＋１．２×１０６−ｎＪ
（１−１０−１）Ｓｎ＝１．２×１０６Ｊ＋１．２×１０６−ｎＪ
Ｓｎ＝１．２×１０６（１＋１０−ｎ）Ｊ÷（１−１０−１）＝１．２×１０６（１＋０）Ｊ÷０．９＝１．３３３×１０６Ｊ
物体が落ちる場の磁気の光子のエネルギー密度の和は、１．３３３×１０６Ｊです。
終端加速度＝物体が落ちるとき受ける磁気の光子のエネルギーの和×物体１Ｋｇが作る磁気の光子のエネルギー＝１．３３３×１０６Ｊ×８．１６６×１０−６Ｊ＝１０．８９ｍ／ｓ２
▲２▼終端加速度は、物体が落ちるときの加速度の和と考える。
これは、「請求項」に示した。
４．速度の式、１０．８９ｍ／ｓ２×ｔ１＝９．８ｍ／ｓ２×ｍＫｇ＋ｋ、の式から理解できること。
▲１▼１０．８９ｍ／ｓ２×ｔ１＝９．８ｍ／ｓ２×ｍＫｇ÷ｋ
１０．８９ｍ／ｓ２×ｔ１＝９．８ｍ／ｓ２×ｍＫｇ÷ｋ
ｋ＝９．８ｍ／ｓ２×ｍＫｇ÷（１０．８９ｍ／ｓ２×ｔ１）
ｋ＝地上でのｍＫｇの物質の引力÷ｔ１時の速度＝地上でのｍＫｇの物質の引力÷終端速度
終端速度＝地上でのｍＫｇの物質の引力÷ｋ
▲２▼１０．８９ｍ／ｓ２×ｔ１＝９．８ｍ／ｓ２×ｍＫｇ÷ｋ
１０．８９ｍ／ｓ２×ｔ１÷９．８ｍ／ｓ２＝ｍＫｇ÷ｋ
１．１１１×ｔ１＝ｍＫｇ÷ｋ
ｋ＝ｍＫｇ÷（１．１１１×ｔ１）
ｋは、ｍＫｇ÷（１．１１１×ｔ１）です。
ｋは、約ｍＫｇ÷ｔ１です。
５．スカイダイビングでは、飛び出して１０秒ほどで最終的な速度、１８０Ｋｍ／ｈから２２０Ｋｍ／ｈになる。４００ｍから落下しても、３０００ｍから落下しても、同じ速度２００Ｋｍ／ｈで落ちる。終端速度は２００Ｋｍ／ｈです。この場合、終端速度になる時間はいくらか。ｋはいくらか。
スカイダイビングをする人とスカイダイビングの用具の合計質量を１００Ｋｇとする場合。
終端速度の秒速＝２００Ｋｍ÷（６０×６０）＝５５．５５ｍ
Ｖ＝１０．８９ｔ１
５５．５５ｍ／ｓ＝１０．８９ｍ／ｓ２×ｔ１
ｔ１＝５５．５５ｍ／ｓ÷１０．８９ｍ／ｓ２＝５．１ｓ
ｋ＝ｍＫｇ÷（１．１１１×ｔ１）＝１００Ｋｇ÷（１．１１１×５．１）＝１７．６４９
終端速度になる時間は、５．１秒です。
ｋの値は、１７．６４９です。
６．銀河系の腕の歴史について。クエーサー時代、大きな軌道、中位の軌道、小さな軌道はどのようにできたか。クエーサーの中心部の質量がが太陽質量の何倍のとき、大きな軌道、中位の軌道、小さな軌道はできたか。
私は、２００８年１月４日に特許出願した、特願２００８−２３３０９の「請求項２８」で、
「１０−１６ｍの時代（電子のラブの公転軌道が１０−１６ｍの時で、宇宙年齢は１億歳です。）のクエーサーの中心のブラックホールの質量は、太陽質量の１０６＋２倍でした。
クエーサーの中心部の質量が太陽の１０８倍の場合。
クエーサーの大きさは１．８３９×１０１４ｍです。
ジェットが届く距離は３．０６５×１０１５ｍです。
それで、
大きな軌道は、３×１０１５ｍで、
中位の軌道は、２×１０１５ｍで、
小さい軌道は、１０１５ｍです。」と記した。
・大きな軌道、中位の軌道、小さな軌道を作った、クエーサーの中心のブラックホールの質量は太陽質量の何倍か。
私は、２００７年８月２５日に特許出願した、特願２００７−２４６１３９の「請求項２２」で、
中心部が太陽質量のβ倍のクエーサーや銀河のＡの値は、Ａ＝４．３２５×１０４×β１／３です。
「請求項２４」で、
ジェットの届く距離＝６．９６×１０５Ｋｍ×８４９×Ａ÷（３．８７２×１０３）＝１．５２６×１０５Ｋｍ×Ａ
と理解した。
それで、
ジェットの届く距離＝１．５２６×１０５Ｋｍ×Ａ＝１．５２６×１０５Ｋｍ×４．３２５×１０４×β１／３＝６．６００×１０９Ｋｍ×β１／３
▲１▼大きな軌道は、クエーサーの中心のブラックホールの質量が太陽質量の何倍の時できたか。
大きな軌道は、クエーサーの中心から３×１０１２Ｋｍです。
クエーサーの中心のブラックホールから噴出したジェットは３×１０１２Ｋｍまで届いた。
ジェットの届く距離＝６．６００×１０９Ｋｍ×β１／３
３×１０１２Ｋｍ＝６．６００×１０９Ｋｍ×β１／３
β１／３＝３×１０１２Ｋｍ÷（６．６００×１０９Ｋｍ）＝４．５４５×１０２
β＝（４．５４５×１０２）３＝９．３８９×１０７
太陽質量の９．３８９×１０７倍のクエーサーの中心のブラックホールから噴出するジェットは、３×１０１２Ｋｍまで届きます。
よって、クエーサーの中心のブラックホールの質量が、太陽質量の９．３８９×１０７倍の時、半径３×１０１２Ｋｍの軌道に、ブラックホールの素子の集合団が小惑星のようにできた。これが大きな軌道です。
▲２▼中位の軌道は、クエーサーの中心のブラックホールの質量が太陽質量の何倍の時できたか。
中位の軌道は、クエーサーの中心から２×１０１２Ｋｍです。
クエーサーの中心のブラックホールから噴出したジェットは２×１０１２Ｋｍまで届いた。
ジェットの届く距離＝６．６００×１０９Ｋｍ×β１／３
２×１０１２Ｋｍ＝６．６００×１０９Ｋｍ×β１／３
β１／３＝２×１０１２Ｋｍ÷（６．６００×１０９Ｋｍ）＝３．０３０×１０２
β＝（３．０３０×１０２）３＝２．７８２×１０７
太陽質量の２．７８２×１０７倍のクエーサーの中心のブラックホールから噴出するジェットは、２×１０１２Ｋｍまで届きます。
よって、クエーサーの中心のブラックホールの質量が、太陽質量の２．７８２×１０７倍の時、半径２×１０１２Ｋｍの軌道に、ブラックホールの素子の集合団が小惑星のようにできた。これが中位の軌道です。
▲３▼小さな軌道は、クエーサーの中心のブラックホールの質量が太陽質量の何倍の時できたか。
小さな軌道は、クエーサーの中心から１０１２Ｋｍです。
クエーサーの中心のブラックホールから噴出したジェットは１０１２Ｋｍまで届いた。
ジェットの届く距離＝６．６００×１０９Ｋｍ×β１／３
１０１２Ｋｍ＝６．６００×１０９Ｋｍ×β１／３
β１／３＝１０１２Ｋｍ÷（６．６００×１０９Ｋｍ）＝１．５１５×１０２
β＝（１．５１５×１０２）３＝３．４７７×１０６
太陽質量の３．４７７×１０６倍のクエーサーの中心のブラックホールから噴出するジェットは、１０１２Ｋｍまで届きます。
よって、クエーサーの中心のブラックホールの質量が、太陽質量の３．４７７×１０６倍の時、半径１０１２Ｋｍの軌道に、ブラックホールの素子の集合団が小惑星のようにできた。これが小さい軌道です。
この事によって理解できたこと。
１．先に、半径３×１０１２Ｋｍの軌道にブラックホールの素子の集団がまるで小惑星のようにできた。これが後に、大きな腕になった。
２．次に、半径２×１０１２Ｋｍの軌道にブラックホールの素子の集団がまるで小惑星のようにできた。これが後に、中位の腕になった。
３．最後に、半径１０１２Ｋｍの軌道にブラックホールの素子の集団がまるで小惑星のようにできた。これが後に、小さな腕になった。
４．大きい軌道は、クエーサーの中心のブラックホールの質量が、太陽質量の９．３８９×１０７倍の時できたので、大きな腕には、３世代の星が多い。
５．中位の軌道は、クエーサーの中心のブラックホールの質量が、太陽質量の２．７８２×１０７倍の時できたので、中位の腕には、２世代の星が多い。
６．小さい軌道は、クエーサーの中心のブラックホールの質量が、太陽質量の３．４７７×１０６倍の時できたので、小さい腕には、１世代の星が多い。
７．大きな腕には、地球より原子番号の大きい元素が存在する。
クエーサー時代
2008228567.tif 000003
７．クエーサー時代、ジェットでできた大きな軌道、中位の軌道、小さい軌道が、現在、大きな腕、中位の腕、小さな腕に成った事の証明。
▲１▼大きな軌道の場合。
クエーサーの中心のブラックホールが太陽質量の９．３８９×１０７倍の時代、ジェットは３×１０１２Ｋｍの軌道に届いた。
その軌道のエネルギーは、現在のエネルギーの１０２倍ですから、太陽質量の１．２４７×１０４＋２倍です。
クエーサーの中心の太陽質量の９．３８７×１０７倍のエネルギーで、半径３×１０１２Ｋｍに、太陽質量の１．２４７×１０４＋２倍のエネルギーの軌道を作った。
この軌道×エネルギーは、エネルギーを質量として表しますと、軌道×質量です。
軌道×質量＝３×１０１２Ｋｍ×２×１．２４７×１０４＋２太陽質量＝７．４８２×１０１８Ｋｍ・太陽質量、です。
クエーサーの中心の太陽質量の９．３８９×１０７倍のエネルギーで、半径３×１０１２Ｋｍに、７．４８２×１０１８Ｋｍ・太陽質量の軌道エネルギーを作った。
現在、この軌道エネルギーが大きな腕の中心の軌道エネルギーになっている。
現在の大きな腕の中心の軌道・質量は、
軌道・質量＝４×１０４光年×２×１．２４７×１０４太陽質量＝４×１０４×９．４６×１０１２Ｋｍ×２×１．２４７×１０４太陽質量＝９．４３７×１０２１Ｋｍ・太陽質量
現在の大きな腕の中心の軌道・質量は、クオーク時代の大きな軌道の軌道・質量の何倍か。
現在の大きな腕の中心の軌道・質量÷クオーク時代の大きな軌道の軌道・質量＝９．４３７×１０２１Ｋｍ・太陽質量÷（７．４８２×１０１８Ｋｍ・太陽質量）＝１．２６１×１０３（倍）
この理由は、現在の大きな腕の中心は、エネルギーは１００分の１になったけれども、軌道は、
３．７８４×１０１７ｍ×２÷（３×１０１２Ｋｍ×２）＝１．２６１×１０５倍になったからです。
▲２▼中ぐらいの軌道の場合。
クエーサーの中心のブラックホールが太陽質量の２．７７４×１０７倍の時代、ジェットは２×１０１２Ｋｍの軌道に届いた。
その軌道のエネルギーは現在のエネルギーの１０２倍ですから、太陽質量の５．２５２×１０３＋２倍です。
クエーサーの中心の太陽質量の２．７８２×１０７倍のエネルギーで、半径２×１０１２Ｋｍに、太陽質量の５．２５２×１０３＋２倍のエネルギーの軌道を作った。
この軌道×エネルギーは、エネルギーを質量として表すと、軌道×質量です。
軌道・質量＝２×１０１２Ｋｍ×２×５．２５２×１０３＋２太陽質量＝２．１０×１０１８Ｋｍ太陽質量、です。
クエーサーの中心の太陽質量の２．７８２×１０７倍のエネルギーで、半径２×１０１２Ｋｍに、２．１０×１０１８Ｋｍ・太陽質量の軌道エネルギーを作った。
現在、この軌道エネルギーが中位の腕の中心の軌道エネルギーになっている。
現在の中位の腕の中心の軌道・質量は＝３×１０４光年×２×５．２５２×１０３太陽質量＝２．８３８×１０１７Ｋｍ×２×５．２５２×１０３太陽質量＝２．９８１×１０２１Ｋｍ・太陽質量、です。
現在の中位の腕の中心の軌道・質量は、クオーク時代の中位の軌道の軌道・質量の何倍か。
現在の中位の腕の中心の軌道・質量÷クオーク時代の中位の軌道の軌道・質量＝２．９８１×１０２１Ｋｍ・太陽質量÷（２．１０×１０１８Ｋｍ・太陽質量）＝１．４１９×１０３（倍）
この理由は、現在の中位の腕の中心は、エネルギーは１００分の１になったけれども、軌道は、
２．８３８×１０１７ｍ×２÷（２×１０１２Ｋｍ×２）＝１．４１９×１０５倍になったからです。
▲３▼小さな軌道の場合。
クエーサーの中心のブラックホールが太陽質量の３．４７７×１０６倍の時代、ジェットは１０１２Ｋｍの軌道に届いた。
その軌道のエネルギーを太陽質量の１．５×１０３倍とした。
クエーサーの中心の太陽質量の３．４７７×１０６倍のエネルギーで、半径１０１２Ｋｍに、太陽質量の１．５２５×１０３＋２倍のエネルギーの軌道を作った。
この軌道×エネルギーは、エネルギーを質量として表すと、軌道・質量になります。
軌道・質量＝１０１２Ｋｍ×２×１．５２５×１０３＋２太陽質量＝３．０５×１０１７Ｋｍ・太陽質量、です。
クエーサーの中心の太陽質量の３．４７７×１０６倍のエネルギーで、半径１０１２Ｋｍに、３．０５×１０１５Ｋｍ・太陽質量の軌道エネルギーを作った。
現在、この軌道エネルギーが小さな腕の中心の軌道エネルギーになっている。
現在の中位の腕の中心の軌道・質量＝２×１０４光年×２×１．５２５×１０３太陽質量＝２×１０４×９．４６×１０１２Ｋｍ×２×１．５２５×１０３太陽質量＝５．７７１×１０２０Ｋｍ・太陽質量、です。
現在の小さい腕の中心の軌道・質量は、クオーク時代の小さい軌道の軌道・質量の何倍か。
現在の小さい腕の中心の軌道・質量÷クオーク時代の小さいの軌道の軌道・質量＝５．７７１×１０２０Ｋｍ・太陽質量÷（３．０５×１０１７Ｋｍ・太陽質量）＝１．８９２×１０３（倍）
この理由は、現在の小さい腕の中心は、エネルギーは１００分の１になったけれども、軌道は、
１．８９２×１０１７ｍ×２÷（１０１２Ｋｍ×２）＝１．８９２×１０５倍になったからです。
大きな軌道から大きな腕になった場合の、軌道・エネルギー（軌道・質量）の倍数と、中位の軌道から中位の腕になった場合の、軌道・エネルギー（軌道・質量）の倍数と、小さい軌道から小さい腕になった場合の、軌道・エネルギー（軌道・質量）の倍数はほぼ同じであり、この事によって、大きな軌道が大きな腕になり、中位の軌道が中位の腕になり、小さい軌道が小さい腕になった事が理解できる。
これを表にする。
2008228567.tif 000004
８．クエーサーの中心のエネルギーが軌道の中心の軌道エネルギーを作ったことの証明。
▲１▼軌道の中心の軌道エネルギーの比と、それを作ったクエーサーの中心の軌道エネルギーの比を比較する。
軌道の中心の軌道エネルギーの比は、
大きな軌道の中心の軌道エネルギー：中位の軌道の中心の軌道エネルギー：小さな軌道の中心の軌道エネルギー＝７．４８２×１０１８Ｋｍ・太陽質量；２．１０×１０１８Ｋｍ・太陽質量：３．０５×１０１７Ｋｍ・太陽質量＝２４．５：６．９：１
それを作ったクエーサーの中心のエネルギーの比は、
太陽質量の９．３８９×１０７倍：太陽質量の２．７８２×１０７倍：太陽質量の３．４７７×１０６倍＝２７：８：１
この事によって、クエーサーの中心のエネルギーが腕の軌道エネルギーを作ったと理解できる。
▲２▼１太陽質量でできる軌道の距離を比較する。
１太陽質量でできる軌道の距離＝軌道の中心部の軌道・質量÷軌道を作ったクエーサーの中心のブラックホールの軌道・質量
大きい軌道の場合。
１太陽質量でできる軌道の距離＝軌道の中心部の軌道・質量÷軌道を作ったクエーサーの中心のブラックホールの軌道・質量＝７．４８２×１０１８Ｋｍ・太陽質量÷（太陽質量の９．３８９×１０７倍）＝７．９６９×１０１０Ｋｍ
中位の軌道の場合。
１太陽質量でできる軌道の距離＝軌道の中心部の軌道・質量÷軌道を作ったクエーサーの中心のブラックホールの軌道・質量＝２．１０×１０１８Ｋｍ・太陽質量÷（太陽質量の２．７８２×１０７倍）＝７．５４９×１０１０Ｋｍ
小さい軌道の場合。
１太陽質量でできる軌道の距離＝軌道の中心部の軌道・質量÷軌道を作ったクエーサーの中心のブラックホールの軌道・質量＝３．０５×１０１７Ｋｍ・太陽質量÷（太陽質量の３．４７７×１０６倍）＝８．７７２×１０１０Ｋｍ
１太陽質量でできる軌道の距離はほぼ同じであることによって、、エーサーの中心のブラックホールのエネルギーが噴出し、その質量エネルギーが軌道の中心の軌道・質量（エネルギー）を作ったと理解できる。
この事により理解できること。
１．クエーサーの中心のブラックホールのエネルギーが噴出し、届いた軌道に軌道エネルギーを作った。
２．この軌道エネルギーが、大きな腕、中位の腕、小さな腕、の中心の軌道エネルギーになっている。
３．大きな腕の中心の軌道のエネルギーが大きい。それで、速度は大きい。中位の腕の中心の軌道のエネルギーは中位。それで、速度は中位。小さい腕の中心の軌道のエネルギーは小さい。それで、速度は小さい。この事によって、大きな腕と中位の腕と小さな腕は一緒に進む。
これを表にする。
2008228567.tif 000005
2008228567.tif 000006
まとめて表にする。
クエーサー時代にできた、大きい軌道、中位の軌道、小さい軌道のようす。
2008228567.tif 000007
現在の大きな腕、中位の腕、小さい腕のようす。
2008228567.tif 000008
2008228567.tif 000009
９．銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、銀河系の大きい腕、中位の腕、小さい腕、の中央のブラックホールの質量を求める。
（私は、２００８年１月４日に特許出願した、２００８−２３３０９の「特許請求２５」で、小さい腕、中位の腕、大きい腕、の中心のブラックホールの質量は太陽質量の何倍であるかを、原子数から求めた。）
私は、２００８年１月４日に特許出願した、２００８−２３３０９の「請求項１７」で、銀河の中心のブラックホールの質量が太陽質量の１０ｎ倍の場合の一般式を求めた。
「それは、
星の軌道エネルギーの式はいくらか。
星の軌道のエネルギー＝光子の数×届く１個の光子のエネルギー＝ブラックホールの表面に存在する原子数×届く１個の光子のエネルギー＝５．４７１×１０３８×１０２ｎ／３個×１０−２０Ｊ・Ｋｍ÷距離、です。
星が存在する軌道の速度（星の速度）はいくらか。
速度２＝軌道のエネルギー＝５．４７１×１０１８＋２ｎ／３Ｊ・Ｋｍ÷距離
速度＝（５．４７１×１０１８＋２ｎ／３Ｊ・Ｋｍ÷距離）１／２」と記した。
５．４７１は５．４３８です。
この式により、どのような軌道でも、軌道の速度と軌道のエネルギーを求めることができる。中心のブラックホールの質量を求めることができる。
この式から、銀河系の大きい腕、中位の腕、小さい腕、の中心のブラックホールの質量を求める。
私は、２００８年１月４日に提出した、特願２００８−２３３０９の「請求項２２」で、「軌道のエネルギー＝速度２＝加速度、であるのは、公転軌道の場合であり、螺旋回転の場合は軌道エネルギー×７９．６８＝速度２＝加速度、である。」と記した。
加速度は間違いですから消去する。（これについては、２００８年２月２日に提出した、特願２００８−５１２１８の「請求項１」に記した。）
それで、
Ａ．公転速度から求める。
Ｂ．螺旋軌道から求める。
この２つの方法で求める。
Ａ．速度を公転速度とした場合。（この場合、軌道のエネルギー＝５．４７１×１０１８＋２ｎ／３Ｊ・Ｋｍ÷距離で計算する。）
▲１▼大きな腕の中心のブラックホールの質量はいくらか。
大きな腕の公転速度は、３５１．６Ｋｍ／ｓです。距離は、腕の半径で、２５００光年＝２．３６５×１０１６Ｋｍです。
速度２＝軌道のエネルギー＝５．４７１×１０１８＋２ｎ／３Ｊ・Ｋｍ÷距離
３５１．６２Ｊ＝５．４７１×１０１８＋２ｎ／３Ｊ・Ｋｍ÷（２．３６５×１０１６Ｋｍ）
１０１８＋２ｎ／３＝３５１．６２÷５．４７１×２．３６５×１０１６＝５．３７６×１０２０
１０２ｎ／３＝５．３７６×１０２
１０ｎ＝５．３７６３／２×１０２×３／２＝２．３１９３×１０３＝１．２４７×１０４
大きい腕の中心のブラックホールの質量は、太陽質量の１．２４７×１０４倍です。
▲２▼中位の腕の中心のブラックホールの質量はいくらか。
中位の腕の公転速度は、２６３．７Ｋｍ／ｓです。距離は、腕の半径で、２５００光年＝２．３６５×１０１６Ｋｍです。
速度２＝軌道のエネルギー＝５．４７１×１０１８＋２ｎ／３Ｊ・Ｋｍ÷距離
２６３．７２Ｊ＝５．４７１×１０１８＋２ｎ／３Ｊ・Ｋｍ÷（２．３６５×１０１６Ｋｍ）
１０１８＋２ｎ／３＝２６３．７２÷５．４７１×２．３６５×１０１６＝３．０２４×１０２０
１０２ｎ／３＝３．０２４×１０２
１０ｎ＝３．０２４３／２×１０２×３／２＝１．７３９３×１０３＝５．２５９×１０３
中位の腕の中心のブラックホールの質量は、太陽質量の５．２５９×１０３倍です。
▲３▼小さい腕の中心のブラックホールの質量はいくらか。
小さい腕の公転速度は、１７５．８Ｋｍ／ｓ２です。距離は、腕の半径で、２５００光年＝２．３６５×１０１６Ｋｍです。
速度２＝軌道のエネルギー＝５．４７１×１０１８＋２ｎ／３Ｊ・Ｋｍ÷距離
１７５．８２Ｊ＝５．４７１×１０１８＋２ｎ／３Ｊ・Ｋｍ÷（２．３６５×１０１６Ｋｍ）
１０１８＋２ｎ／３＝１７５．８２÷５．４７１×２．３６５×１０１６＝１．３４４×１０２０
１０２ｎ／３＝１．３４４×１０２
１０ｎ＝１．３４４３／２×１０２×３／２＝１．１５９３×１０３＝１．５５７×１０３
小さい腕の中心のブラックホールの質量は、太陽質量の１．１５９×１０３倍です。
Ｂ．速度を螺旋回転とした場合。（この場合は、軌道のエネルギー＝５．４３８×１０１８＋２ｎ／３Ｊ・Ｋｍ÷距離、で計算する。）
軌道エネルギー＝速度２÷７９．６８、です。
▲１▼大きい腕の中心のブラックホール質量はいくらか。
大きな腕の螺旋速度は、３１３８．７Ｋｍ／ｓです。距離は、腕の半径で、２５００光年＝２．３６５×１０１６Ｋｍです。
軌道のエネルギー＝速度２÷７９．７（大きい腕の場合は７９．７倍です。）
軌道のエネルギー＝３１３８．７２÷７９．７＝１．２３６×１０５
１．２３６×１０５＝５．４３８×１０１８＋２ｎ／３Ｊ・Ｋｍ÷（２．３６５×１０１６Ｋｍ）
１０１８＋２ｎ／３＝１．２３６×１０５×２．３６５×１０１６÷５．４３８＝５．３７５×１０２０
１０２ｎ／３＝５．３７５×１０２
１０ｎ＝５．３７５３／２×１０２×３／２＝２．３１８３×１０３＝１．２４５×１０４
大きい腕の中心のブラックホール質量は、太陽質量の１．２４５×１０４倍です。
▲２▼中位の腕の中心のブラックホール質量はいくらか。
中位の腕の螺旋回転速度は、２３５４Ｋｍ／ｓです。距離は、腕の半径で、２５００光年＝２．３６５×１０１６Ｋｍです。
軌道のエネルギー＝速度２÷７９．６８（中位の腕の場合は７９．６８倍です。）
軌道のエネルギー＝２３５４２÷７９．６８＝６．９５４×１０４
６．９５４×１０４＝５．４３８×１０１８＋２ｎ／３Ｊ・Ｋｍ÷（２．３６５×１０１６Ｋｍ）
１０１８＋２ｎ／３＝６．９５４×１０４×２．３６５×１０１６÷５．４３８＝３．０２４×１０２０
１０２ｎ／３＝３．０２４×１０２
１０ｎ＝３．０２４３／２×１０２×３／２＝５．２５９×１０３
中位の腕の中心のブラックホール質量は、太陽質量の５．２５９×１０３倍です。
▲３▼小さい腕の中心のブラックホール質量はいくらか。
小さい腕の螺旋回転速度は、１５６９．３Ｋｍ／ｓです。距離は、腕の半径で、２５００光年＝２．３６５×１０１６Ｋｍです。
軌道のエネルギー＝速度２÷７９．６５（小さい腕の場合は７９．６５倍です。）
軌道のエネルギー＝１５６９．３２÷７９．６５＝３．０９２×１０４
３．０９２×１０４＝５．４３８×１０１８＋２ｎ／３Ｊ・Ｋｍ÷（２．３６５×１０１６Ｋｍ）
１０１８＋２ｎ／３＝３．０９２×１０４×２．３６５×１０１６÷５．４３８＝１．３４５×１０２０
１０２ｎ／３＝１．３４５×１０２
１０ｎ＝１．３４５３／２×１０２×３／２＝１．１６０３×１０３＝１．５６１×１０３
小さい腕の中心のブラックホール質量は、太陽質量の１．５６１×１０３倍です。
表にする。
Ａの場合。この場合は、軌道のエネルギー＝５．４７１×１０１８＋２ｎ／３Ｊ・Ｋｍ÷距離、で計算する
2008228567.tif 000010
Ｂの場合。この場合は、軌道のエネルギー＝５．４３８×１０１８＋２ｎ／３Ｊ・Ｋｍ÷距離、で計算する
2008228567.tif 000011
１０．銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、銀河系の軌道のエネルギーと速度を求める。
▲１▼銀河系の中心から１光年の軌道のエネルギーと速度はいくらか。
銀河系の中心のブラックホールの質量は、太陽質量の１０６倍です。
距離＝１光年＝３×１０５Ｋｍ×３６５×２４×６０×６０＝９．４６１×１０１２Ｋｍ
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１２Ｋｍ）＝５．７４８×１０９Ｊ
軌道の速度２＝５．７４８×１０９
軌道の速度＝（５．７４８×１０９）１／２＝（５７．４８×１０８）１／２＝７．５８２×１０４（Ｋｍ／ｓ）
銀河系の中心から１光年の軌道のエネルギーは５．７４８×１０９Ｊで、速度は７．５８２×１０４Ｋｍ／ｓ
です。
▲２▼銀河系の中心から１０光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１３Ｋｍ）＝５．７４８×１０８Ｊ
軌道の速度２＝５．７４８×１０８Ｋｍ／ｓ
軌道の速度＝（５．７４８×１０８）１／２Ｋｍ／ｓ＝２．３９７×１０４Ｋｍ／ｓ
銀河系の中心から１０光年の軌道のエネルギーは５．７４８×１０８Ｊで、速度は２．３９７×１０４Ｋｍ／ｓ
です。
▲３▼銀河系の中心から１００光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１４Ｋｍ）＝５．７４８×１０９Ｊ
軌道の速度２＝５．７４８×１０９Ｋｍ／ｓ
軌道の速度＝（５７．４８×１０８）１／２Ｋｍ／ｓ＝７．５８２×１０４Ｋｍ／ｓ
銀河系の中心から１００光年の軌道のエネルギーは５．７４８×１０９Ｊで、速度は７．５８２×１０４Ｋｍ／ｓ
です。
▲４▼銀河系の中心から１０００光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１５Ｋｍ）＝５．７４８×１０６Ｊ
軌道の速度２＝５．７４８×１０６Ｋｍ／ｓ
軌道の速度＝（５．７４８×１０６）１／２Ｋｍ／ｓ＝２．３９７×１０３Ｋｍ／ｓ
銀河系の中心から１０００光年の軌道のエネルギーは５．７４８×１０６Ｊで、速度は２．３９７×１０３Ｋｍ／ｓです。
▲５▼銀河系の中心から１００００光年の軌道の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（９．４６１×１０１６Ｋｍ）＝５．７４８×１０５Ｊ
軌道の速度２＝５．７４８×１０５Ｋｍ／ｓ
軌道の速度＝（５７．４８×１０４）１／２Ｋｍ／ｓ＝７．５８２×１０２Ｋｍ／ｓ
銀河系の中心から１００００光年の軌道のエネルギーは５．７４８×１０５Ｊで、速度は７．５８２×１０２Ｋｍ／ｓです。
▲６▼銀河系の中心から２００００光年の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（２×９．４６１×１０１６Ｋｍ）＝２．８７４×１０５Ｊ
軌道の速度２＝２．８７４×１０５Ｋｍ／ｓ
軌道の速度＝（２８．７４×１０４）１／２Ｋｍ／ｓ＝５．３６１×１０２Ｋｍ／ｓ
銀河系の中心から２００００光年の軌道のエネルギーは２．８７４×１０５Ｊで、速度は５．３６１×１０２Ｋｍ／ｓです。
▲７▼銀河系の中心から３００００光年の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（３×９．４６１×１０１６Ｋｍ）＝１．９１６×１０５Ｊ
軌道の速度２＝１．９１６×１０５Ｋｍ／ｓ
軌道の速度＝（１９．１６×１０４）１／２Ｋｍ／ｓ＝４．３７７×１０２Ｋｍ／ｓ
銀河系の中心から３００００光年の軌道のエネルギーは１．９１６×１０５Ｊで、速度は４．３７７×１０２Ｋｍ／ｓです。
▲８▼銀河系の中心から４００００光年の軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×６／３Ｊ・Ｋｍ÷（４×９．４６１×１０１６Ｋｍ）＝１．４３７×１０５Ｊ
軌道の速度２＝１．４３７×１０５Ｋｍ／ｓ
軌道の速度＝（１４．３７×１０４）１／２Ｋｍ／ｓ＝３．７９１×１０２Ｋｍ／ｓ
銀河系の中心から４００００光年の軌道のエネルギーは１．４３７×１０５Ｊで、速度は３．７９１×１０２Ｋｍ／ｓです。
表に示す。
2008228567.tif 000012
2008228567.tif 000013
１１．２×１０４光年の軌道の速度は５．３６１×１０２Ｋｍ／ｓであるべきなのに、小さな腕の公転速度は１７５．８Ｋｍ／ｓで、小さな腕の螺旋回転速度は１５６９Ｋｍ／ｓです。３×１０４光年の軌道の速度は４．３７７×１０２Ｋｍ／ｓであるべきなのに、中位の腕の公転速度は２６３．７Ｋｍ／ｓで、中位の腕の螺旋回転速度は２３５４Ｋｍ／ｓです。４×１０４光年の軌道の速度は３．７９１×１０２Ｋｍ／ｓであるべきなのに、大きい腕の公転速度は３５１．６Ｋｍ／ｓで、大きい腕の螺旋回転は３１３８．７Ｋｍ／ｓです。何が原因でこのようになるか。
小さい腕、中位の腕、大きい腕の星たちが回転しているのは螺旋回転であり、公転速度は螺旋回転によってできる、銀河系を公転する速度です。
小さい腕、中位の腕、大きな腕、の螺旋速度は、それぞれの腕の中心のブラックホールの質量と距離で決定される。小さい腕、中位の腕、大きな腕、の螺旋速度が速いのは、距離が近いからです。
螺旋回転速度は速いが、その螺旋回転によってできる、銀河系を公転する速度は遅い。
小さい腕、中位の腕、大きい腕の星達の銀河系を公転する速度が遅い原因は、星達の速度は、より近いブラックホールの質量により決定されるからです。
この事により理解できること。
１．星達の回転速度は、より近い距離のブラックホールの質量により決定される。
１２．銀河の中心のブラックホールの質量が太陽質量の１０ｎ倍の場合、宇宙の軌道エネルギーの式は、５．４３８×１０１８＋２ｎ／３Ｊ・Ｋｍです。軌道のエネルギー＝５．４３８×１０１８＋２ｎ／３Ｊ・Ｋｍ÷距離＝軌道の速度２、この式から、クエーサー時代のクエーサーやジェットが届く軌道のエネルギーと速度を求める。
クエーサー時代、クエーサーの中心のブランクホールの質量は、太陽質量の１０８倍です。
クエーサーの大きさは、１．８３９×１０１４ｍです。１．８３９×１０１１Ｋｍです。
ジェットが届く距離は３．０６５×１０１５ｍです。
▲１▼クエーサーの中心から１．８３９×１０１１Ｋｍの軌道のエネルギーと速度はいくらか。
クエーサーの中心のブラックホールの質量は、太陽質量の１０８倍です。
軌道のエネルギー＝５．４３８×１０１８＋２ｎ／３Ｊ・Ｋｍ÷距離＝軌道の速度２
軌道のエネルギー＝５．４３８×１０１８＋２×８／３Ｊ・Ｋｍ÷（１．８３９×１０１１Ｋｍ）＝２．９５７×１０７×１０５．３３Ｊ＝２．９５７×１０７×１０５×１００．３３Ｊ＝２．９５７×１０１２×２．１５Ｊ＝６．３５８×１０１２Ｊ
軌道の速度２＝６．３５８×１０１２
軌道の速度＝（６．３５８×１０１２）１／２＝２．５２１×１０６（Ｋｍ／ｓ）
クエーサーの中心から１．８３９×１０１１Ｋｍの軌道のエネルギーは６．３５８×１０１２Ｊで、速度は２．５２１×１０６Ｋｍ／ｓです。
これは光速以上です。
▲２▼クエーサーの時代、ジェットが届く距離３．０６５×１０１２Ｋｍの軌道のエネルギーと速度はいくらか。
軌道のエネルギー＝５．４３８×１０１８＋２ｎ／３Ｊ・Ｋｍ÷距離＝軌道の速度２
軌道のエネルギー＝５．４３８×１０１８＋２×８／３Ｊ・Ｋｍ÷（３．０６５×１０１２Ｋｍ）＝１．７７４×１０６×１０５．３３Ｊ＝１．７７４×１０６×１０５×１００．３３Ｊ＝１．７７４×１０１１×２．１５Ｊ＝３．８１４×１０１１Ｊ
軌道の速度２＝３．８１４×１０１１
軌道の速度＝（３．８１４×１０１１）１／２＝（３８．１４×１０１０）１／２＝６．１７６×１０５（Ｋｍ／ｓ）
クエーサーの時代、ジェットが届く距離３．０６５×１０１２Ｋｍの軌道のエネルギーは３．８１４×１０１１Ｊで、速度は６．１７６×１０５Ｋｍ／ｓです。
これは光速以上です。
2008228567.tif 000014
１３．１Ｋｇでできる引力は８．１６８×１０−６Ｊｍなのか、それとも、８．１６８×１０−６Ｊなのか。
１Ｋｇの物体と１Ｋｇの物体が１ｍ離れているとき、できる引力は、
▲１▼８．１６８×１０−６Ｊｍとする場合、
８．１６８×１０−６Ｊｍ×８．１６８×１０−６Ｊｍ÷１ｍ２＝６．６７２×１０−１１Ｊ、です。
▲２▼８．１６８×１０−６Ｊとする場合、
８．１６８×１０−６Ｊ×８．１６８×１０−６Ｊ÷１ｍ２＝８．１６８×１０−６Ｎｍ×８．１６８×１０−６Ｎｍ÷１ｍ２＝６．６７２×１０−１１Ｎ、です。
よって、１Ｋｇでできる引力は、８．１６８×１０−６Ｊです。
１４．「熱粒子」はどのようになっているか。
私は、２００８年２月２日に特許出願した、特願２００８−５１２１８の「請求項５．６」で、電気の光子が遠赤外線になった時、磁気の光子が１個１個独立し、電気の光子の軌道が切れ、「熱の粒子」に成り、熱ができると記した。
電気の光子は遠赤外線の軌道で熱エネルギーに変換します。
これは、磁気の光子の軌道が大きくなり、電気の光子の軌道が切れるためです。
電子のラブは、１公転する間に１０８回自転するので、電気の光子の円周は、１０８箇所で切れる。
・遠赤外線の軌道はいくらか。
１秒間に１℃の熱エネルギーになる場合。
電気の光子の軌道をＹｍにする。
１秒間でできる電気の光子のエネルギー＝電気の光子１個のエネルギー×１秒間の公転数＝１０−４１Ｊｍ÷Ｙｍ×１０１６公転＝１℃＝２７３×１．３８×１０−２３Ｊ＝３．７６７×１０−２１Ｊ
Ｙｍ＝１０−４１Ｊｍ×１０１６公転÷（３．７６７×１０−２１Ｊ）＝２．６５５×１０−５
１秒間に１℃の熱エネルギーになる場合、遠赤外線の軌道は、２．６５５×１０−５ｍです。波長は５．３１×１０−５ｍです。
・「熱粒子」の軌道はいくらか。
遠赤外線の円周は、１０８等分され、「熱粒子」になる。
熱粒子の軌道をＴｍとする。
遠赤外線の電気の光子の円周÷１０８＝πＴｍ
π×２．６５５×１０−５ｍ÷１０８＝８．３３７×１０−１３ｍ＝πＴｍ
Ｔｍ＝８．３３７×１０−１３ｍ÷３．１４＝２．６５５×１０−１３ｍ
「熱粒子」の直径は、２．６５５×１０−１３ｍです。
このエネルギーは、
１秒間にできるエネルギー÷１秒間の公転数÷１公転の自転数
＝３．７６７×１０−２１Ｊ÷１０１６個÷１０８個＝３．７６７×１０−４５Ｊ、です。
１秒間にできるエネルギーは、
３．７６７×１０−４５Ｊ×１０８個×１０１６個＝３．７６７×１０−２１Ｊ、です。
即ち、遠赤外線の軌道が２．６５５×１０−５ｍの電気の光子は、１０８等分に分かれ、１個が２．６５５×１０−１３ｍの軌道の「熱粒子」になります。
この「熱粒子」のエネルギーは、３．７６７×１０−４５Ｊです。
熱粒子が１０８個集まって、３．７６７×１０−３７Ｊの熱ができます。
熱粒子が１０１６個集まって、３．７６７×１０−２９Ｊの熱ができます。
熱粒子が１０２４個集まって、３．７６７×１０−２１Ｊの熱ができます。
【発明の効果】
【０００６】  次のことが理解できた。
１．終端速度の加速度とは、終端速度にいたるまでの加速度です。終端速度の加速度は、１０．８９ｍ／ｓ２です。
２．地表から遠いところからの終端速度は、Ｖ＝１０．８９ｔ１、です。ｔ１＝終端速度になる時間、です。
何秒で終端速度になるか。ｍＫｇの物体を落下させた場合、
終端速度は、９．８ｍ／ｓ２×ｍＫｇ÷ｋですから、終端速度になる時間は、０．９×ｍＫｇ÷ｋです。
３．▲１▼終端加速度＝物体が落ちるとき受ける磁気の光子のエネルギーの和×物体１Ｋｇが作る磁気の光子のエネルギー＝（１．２×１０６Ｊ＋１．２×１０５Ｊ＋１．２×１０４Ｊ＋１．２×１０３Ｊ）×８．１６６×１０−６Ｊ＝１．３３３×１０６Ｊ×８．１６６×１０−６Ｊ＝１０．８９ｍ／ｓ２
▲２▼終端加速度は、物体が落ちるときの加速度の和と考える。
終端加速度＝９．８ｍ／ｓ２＋０．９８ｍ／ｓ２＋０．０９８ｍ／ｓ２＋０．００９８ｍ／ｓ２＝１０．８９ｍ／ｓ２
４．速度の式、１０．８９ｍ／ｓ２×ｔ１＝９．８ｍ／ｓ２×ｍＫｇ÷ｋ、の式から理解できること。
▲１▼ｋ＝地上でのｍＫｇの物質の引力÷ｔ１時の速度＝地上でのｍＫｇの物質の引力÷終端速度
終端速度＝地上でのｍＫｇの物質の引力÷ｋ
▲２▼ｋは、ｍＫｇ÷（１．１１１×ｔ１）です。
５．中心部が太陽質量のβ倍のクエーサーや銀河のＡの値は、Ａ＝４．３２５×１０４×β１／３です。
ジェットの届く距離＝６．９６×１０５Ｋｍ×８４９×Ａ÷（３．８７２×１０３）＝１．５２６×１０５Ｋｍ×Ａ
それで、
ジェットの届く距離＝１．５２６×１０５Ｋｍ×Ａ＝１．５２６×１０５Ｋｍ×４．３２５×１０４×β１／３＝６．６００×１０９Ｋｍ×β１／３
６．クエーサー時代はどのようであったか。
▲１▼クエーサーの中心のブラックホールの質量が、太陽質量の９．３８９×１０７倍の時、半径３×１０１２Ｋｍの軌道にブラックホールの素子の集団がまるで小惑星のようにできた。これが後に、大きな腕になった。
▲２▼クエーサーの中心のブラックホールの質量が、太陽質量の２．７８２×１０７倍の時、半径２×１０１２Ｋｍの軌道にブラックホールの素子の集団がまるで小惑星のようにできた。これが後に、中位の腕になった。
▲３▼クエーサーの中心のブラックホールの質量が、太陽質量の３．４７７×１０６倍の時、半径１０１２Ｋｍの軌道にブラックホールの素子の集団がまるで小惑星のようにできた。これが後に、小さな腕になった。
▲４▼大きい軌道は、クエーサーの中心のブラックホールの質量が、太陽質量の９．３８９×１０７倍の時できたので、大きな腕には、３世代の星が多い。
▲５▼中位の軌道は、クエーサーの中心のブラックホールの質量が、太陽質量の２．７８２×１０７倍の時できたので、中位の腕には、２世代の星が多い。
▲６▼小さい軌道は、クエーサーの中心のブラックホールの質量が、太陽質量の３．４７７×１０６倍の時できたので、小さい腕には、１世代の星が多い。
▲７▼大きな腕には、地球より原子番号の大きい元素が存在する。
７．大きな軌道から大きな腕になった場合の、軌道・エネルギー（軌道・質量）の倍数と、中位の軌道から中位の腕になった場合の、軌道・エネルギー（軌道・質量）の倍数と、小さい軌道から小さい腕になった場合の、軌道・エネルギー（軌道・質量）の倍数はほぼ同じであり、この事によって、大きな軌道が大きな腕になり、中位の軌道が中位の腕になり、小さい軌道が小さい腕になった事が理解できる。
８．軌道の中心の軌道エネルギーの比は、
大きな軌道の中心の軌道エネルギー：中位の軌道の中心の軌道エネルギー：小さな軌道の中心の軌道エネルギー＝７．４８２×１０１８Ｋｍ・太陽質量；２．１０×１０１８Ｋｍ・太陽質量：３．０５×１０１７Ｋｍ・太陽質量＝２４．５：６．９：１
それを作ったクエーサーの中心のエネルギーの比は、
太陽質量の９．３８９×１０７倍：太陽質量の２．７８２×１０７倍：太陽質量の３．４７７×１０６倍＝２７：８：１
この事によって、クエーサーの中心のエネルギーが腕の軌道エネルギーを作ったと理解できる。
この事により理解できること。
▲１▼クエーサーの中心のブラックホールのエネルギーが噴出し、届いた軌道に軌道エネルギーを作った。
▲２▼この軌道エネルギーが、大きな腕、中位の腕、小さな腕、の中心の軌道エネルギーになっている。
▲３▼大きな腕の中心の軌道のエネルギーが大きい。それで、速度は大きい。中位の腕の中心の軌道のエネルギーは中位。それで、速度は中位。小さい腕の中心の軌道のエネルギーは小さい。それで、速度は小さい。この事によって、大きな腕と中位の腕と小さな腕は一緒に進む。
９．星の軌道エネルギーの式はいくらか。
星の軌道のエネルギー＝光子の数×届く１個の光子のエネルギー＝ブラックホールの表面に存在する原子数×届く１個の光子のエネルギー＝５．４７１×１０３８×１０２ｎ／３個×１０−２０Ｊ・Ｋｍ÷距離、です。
星が存在する軌道の速度（星の速度）はいくらか。
速度２＝軌道のエネルギー＝５．４７１×１０１８＋２ｎ／３Ｊ・Ｋｍ÷距離
速度＝（５．４７１×１０１８＋２ｎ／３Ｊ・Ｋｍ÷距離）１／２」と記した。
５．４７１は５．４３８です。
この式により、どのような軌道でも、軌道の速度と軌道のエネルギーを求めることができる。中心のブラックホールの質量を求めることができる。
この式により次のことを求め、表に示した。
▲１▼銀河系の大きい腕、中位の腕、小さい腕、の中央のブラックホールの質量を求めた。
▲２▼銀河系の軌道のエネルギーと速度を求めた。
▲３▼クエーサー時代のクエーサーやジェットが届く軌道のエネルギーと速度を求めた。
１０．星達の回転速度は、より近い距離のブラックホールの質量により決定される。
１１．１Ｋｇでできる引力は、８．１６８×１０−６Ｊです。
１２．１秒間に１℃の熱エネルギーになる場合、遠赤外線の軌道は、２．６５５×１０−５ｍです。波長は５．３１×１０−５ｍです。
遠赤外線の軌道が２．６５５×１０−５ｍの電気の光子は、１０８等分に分かれ、１個が２．６５５×１０−１３ｍの軌道の「熱粒子」になります。
この「熱粒子」のエネルギーは、３．７６７×１０−４５Ｊです。
熱粒子が１０８個集まって、３．７６７×１０−３７Ｊの熱ができます。
熱粒子が１０１６個集まって、３．７６７×１０−２９Ｊの熱ができます。
熱粒子が１０１６個集まって、３．７６７×１０−２９Ｊの熱ができます。
熱粒子が１０２１個集まって、３．７６７×１０−２１Ｊの熱ができます。
【図面の簡単な説明】
【０００６】
【図１】地表に近いところからの速度は、Ｖ＝９．８ｔ、です。地表から遠いところからの終端速度は、Ｖ＝１０．８９ｔ１、です。ｔ１＝終端速度になる時間、です。何秒で終端速度になるか。ｍＫｇの物体を落下させた場合、終端速度は、９．８ｍ／ｓ２×ｍＫｇ÷ｋですから、終端速度＝１０．８９ｍ／ｓ２×ｔ１＝９．８ｍ／ｓ２×ｍＫｇ÷ｋ  ｔ１＝９．８ｍ／ｓ２×ｍＫｇ÷（ｋ×１０．８９ｍ／ｓ２）＝０．９×ｍＫｇ÷ｋ  終端速度になる時間は、０．９×ｍＫｇ÷ｋです。終端速度は、１０．８９ｍ／ｓ２×ｔ１＝１０．８９ｍ／ｓ２×０．９×ｍＫｇ÷ｋ＝９．８ｍ／ｓ×ｍＫｇ÷ｋ、です。
【図２】クエーサー時代はどのようであったか。▲１▼クエーサーの中心のブラックホールの質量が、太陽質量の９．３８９×１０７倍の時、半径３×１０１２Ｋｍの軌道にブラックホールの素子の集団がまるで小惑星のようにできた。この軌道・質量は７．４８２×１０１８Ｋｍ・太陽質量、です。▲２▼クエーサーの中心のブラックホールの質量が、太陽質量の２．７８２×１０７倍の時、半径２×１０１２Ｋｍの軌道にブラックホールの素子の集団がまるで小惑星のようにできた。この軌道・質量は２．１０×１０１８Ｋｍ・太陽質量、です。▲３▼クエーサーの中心のブラックホールの質量が、太陽質量の３．４７７×１０６倍の時、半径１０１２Ｋｍの軌道にブラックホールの素子の集団がまるで小惑星のようにできた。この軌道・質量は３．０５×１０１７Ｋｍ・太陽質量、です。大きい軌道を作ったクエーサーの中心のブラックホールの質量：中位の軌道を作ったクエーサーの中心のブラックホールの質量：小さい軌道を作ったクエーサーの中心のブラックホールの質量＝太陽質量の９．３８９×１０７倍：太陽質量の２．７８２×１０７倍：３．４７７×１０６倍＝２７：８：１、です。大きい軌道の軌道・質量：中位の軌道の軌道・質量：小さい軌道の軌道・質量＝７．４８２×１０１８Ｋｍ・太陽質量：２．１０×１０１８Ｋｍ・太陽質量：３．０５×１０１７Ｋｍ・太陽質量＝２４．５：６．９：１、です。
【図３】銀河系の中心から１光年の軌道のエネルギーは５．７４８×１０９Ｊで、速度は、７．５８２×１０４Ｋｍ／ｓです。銀河系の中心から１０光年の軌道のエネルギーは５．７４８×１０８Ｊで、速度は、２．３９７×１０４Ｋｍ／ｓです。銀河系の中心から１００光年の軌道のエネルギーは５．７４８×１０７Ｊで、速度は、７．５８２×１０３Ｋｍ／ｓです。銀河系の中心から１０００光年の軌道のエネルギーは５．７４８×１０６Ｊで、速度は、２．３９７×１０３Ｋｍ／８です。銀河系の中心から１００００光年の軌道のエネルギーは５．７４８×１０５Ｊで、速度は、７．５８２×１０２Ｋｍ／ｓです。２×１０４光年の軌道の速度は５．３６１×１０２Ｋｍ／ｓであるべきなのに、小さな腕の公転速度は１７５．８Ｋｍ／ｓで、小さな腕の螺旋回転速度は１５６９Ｋｍ／ｓです。３×１０４光年の軌道の速度は４．３７７×１０２Ｋｍ／ｓであるべきなのに、中位の腕の公転速度は２６３．７Ｋｍ／ｓで、中位の腕の螺旋回転速度は２３５４Ｋｍ／ｓです。４×１０４光年の軌道の速度は３．７９１×１０２Ｋｍ／ｓであるべきなのに、大きい腕の公転速度は３５１．６Ｋｍ／ｓで、大きい腕の螺旋回転は３１３８．７Ｋｍ／ｓです。何が原因でこのようになるか。小さい腕、中位の腕、大きな腕、の螺旋速度は、それぞれの腕の中心のブラックホールの質量と距離で決定される。小さい腕、中位の腕、大きな腕、の螺旋速度が速いのは、距離が近いからです。螺旋回転速度は速いが、その螺旋回転によってできる、銀河系を公転する速度は遅い。小さい腕、中位の腕、大きい腕の星達の銀河系を公転する速度が遅い原因は、星達の速度は、より近いブラックホールの質量により決定されるからです。この事により理解できること。１．星達の回転速度は、より近い距離のブラックホールの質量により決定される。
【図４】１秒間に１℃の熱エネルギーになる場合、遠赤外線の軌道は、２．６５５×１０−５ｍです。波長は５．３１×１０−５ｍです。遠赤外線の軌道が２．６５５×１０−５ｍの電気の光子は、１０８等分に分かれ、１個が２．６５５×１０−１３ｍの軌道の「熱粒子」になります。この「熱粒子」のエネルギーは、３．７６７×１０−４５Ｊです。熱粒子が１０８個集まって、３．７６７×１０−３７Ｊの熱ができます。熱粒子が１０１６個集まって、３．７６７×１０−２９Ｊの熱ができます。
【符号の説明】
１．地表に近いところからの速度は、Ｖ＝９．８ｔ、です。
２．地表から遠いところからの終端速度は、Ｖ＝１０．８９ｔ１、です。
３．終端速度になる時間は、ｔ１＝０．９×ｍＫｇ÷ｋ
４．クエーサーの中心のブラックホールの質量が、太陽質量の９．３８９×１０７倍
５．半径３×１０１２Ｋｍの軌道
６．ブラックホールの素子の集団がまるで小惑星のようにできた
７．この軌道・質量は７．４８２×１０１８Ｋｍ・太陽質量、です。
８．クエーサーの中心のブラックホールの質量が、太陽質量の２．７８２×１０７倍
９．半径２×１０１２Ｋｍの軌道
１０．この軌道・質量は２．１０×１０１８Ｋｍ・太陽質量、です。
１１．クエーサーの中心のブラックホールの質量が、太陽質量の３．４７７×１０６倍
１２．半径１０１２Ｋｍの軌道
１３．この軌道・質量は３．０５×１０１７Ｋｍ・太陽質量、です。
１４．銀河系の中心から１光年の軌道のエネルギーは５．７４８×１０９Ｊで、速度は、７．５８２×１０４Ｋｍ／ｓです。
１５．銀河系の中心から１０光年の軌道のエネルギーは５．７４８×１０８Ｊで、速度は、２．３９７×１０４Ｋｍ／ｓです。
１６．銀河系の中心から１００光年の軌道のエネルギーは５．７４８×１０７Ｊで、速度は、７．５８２×１０３Ｋｍ／ｓです。
１７．銀河系の中心から１０００光年の軌道のエネルギーは５．７４８×１０６Ｊで、速度は、２．３９７×１０３Ｋｍ／ｓです。
１８．銀河系の中心から１００００光年の軌道のエネルギーは５．７４８×１０５Ｊで、速度は、７．５８２×１０２Ｋｍ／ｓです。
１９．小さな腕の公転速度は１７５．８Ｋｍ／ｓで、小さな腕の螺旋回転速度は１５６９Ｋｍ／ｓです。
２０．中位の腕の公転速度は２６３．７Ｋｍ／ｓで、中位の腕の螺旋回転速度は２３５４Ｋｍ／ｓです。
２１．大きい腕の公転速度は３５１．６Ｋｍ／ｓで、大きい腕の螺旋回転は３１３８．７Ｋｍ／ｓです。
２２．遠赤外線の軌道が２．６５５×１０−５ｍの電気の光子は、１０８等分に分かれる。
２３．「熱粒子」の軌道は２．６５５×１０−１３ｍで、エネルギーは３．７６７×１０−４５Ｊです。
【図１】
2008228567.tif 000026
【図２】
2008228567.tif 000027
【図３】
2008228567.tif 000028
【図４】
2008228567.tif 000029
【手続補正書】
【提出日】平成20年4月1日(2008.4.1)
【手続補正１】
【補正対象書類名】図面
【補正対象項目名】図１
【補正方法】変更
【補正の内容】
【図１】
2008228567.tif 000030